(57)【特許請求の範囲】
【請求項１】
成分（Ａ）、（Ｂ）及び（Ｃ）を含む安定剤混合物であって、
成分（Ａ）が式（Ａ−１−ａ）、（Ａ−２−ａ）又は（Ａ−２−ｂ）：
【化１】
0005204363.tif 000133
（式中、ｎ1 は、２ないし２０の数を表す）；
【化２】
0005204363.tif 000134
（式中、ｎ2 及びｎ2 * は２ないし２０の数を表す）；
で表される化合物であり；
成分（Ｂ）が式（Ｂ−１−ａ）、（Ｂ−１−ｂ）、（Ｂ−１−ｃ）、（Ｂ−１−ｄ）、（Ｂ−８−ａ）又は（Ｂ−１０−ａ）：
【化３】
0005204363.tif 000135
（上記各式中、Ｅ1 は、水素原子、炭素原子数１ないし８のアルキル基、Ｏ・  、−ＯＨ、−ＣＨ2 ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表す。）；
【化４】
0005204363.tif 000136
（式中、Ｅ23は、前記Ｅ1 の意味の１つを有する。）；
【化５】
0005204363.tif 000137
（式中、Ｅ29は、前記Ｅ1 の意味の１つを有する）；
で表される化合物であり；
成分（Ｃ）が式（Ｃ−１−ａ）、（Ｃ−１−ｂ）、（Ｃ−１−ｃ）、（Ｃ−１−ｄ）、（Ｃ−２−ａ）、（Ｃ−４−ａ）又は生成物（Ｃ−６−ａ）；
【化６】
0005204363.tif 000138
（上記各式中、ｂ1 は、２ないし２０の数を表し、及びＲ6 は、水素原子、炭素原子数１ないし８のアルキル基、Ｏ・  、−ＯＨ、−ＣＨ2 ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表す。）；
【化７】
0005204363.tif 000139
（式中、Ｒ13は前記Ｒ6 の意味の１つを有する。）；
【化８】
0005204363.tif 000140
（式中、ｂ3 は、１ないし２０の数を表し、及びＲ18は、前記Ｒ6 の意味の１つを有する。）；
【化９】
0005204363.tif 000141
（式中、ｂ5 は、２ないし２０の数を表す）
で表される化合物である、
安定剤混合物。
【請求項２】
光、熱又は酸化により誘発される分解を受けやすい有機材料及び請求項１記載の安定剤混合物を含む組成物。
【請求項３】
光、熱又は酸化により誘発される分解に対し有機材料を安定化させるための方法であって、請求項１記載の安定剤混合物を前記有機材料中へ配合することを含む方法。
【発明の詳細な説明】
【技術分野】
【０００１】  本発明は、特異的な立体障害アミンエステル又はアミド、低分子量立体障害アミン及び高分子量立体障害アミンを含む安定剤混合物に関する。【０００２】  特異的な立体障害アミンのブレンドを含む安定剤混合物は、例えば米国特許第４，６９２，４６８号明細書、米国特許第４，８６３，９８１号明細書、米国特許第５，７１９，２１７号明細書、米国特許第５，９１９，３９９号明細書、米国特許第５，９６５，６４３号明細書、米国特許第５，９８０，７８３号明細書、米国特許第６，０１５，８４９号明細書、及び米国特許第６，０２０，４０６号明細書に記載されている。【０００３】  本発明は、成分（Ａ）、（Ｂ）及び（Ｃ）を含む安定剤混合物であって、
成分（Ａ）は、式（Ａ−１）
【化１００】
0005204363.tif 000002
（式中、Ａ1は水素原子又は炭素原子数１ないし４のアルキル基を表し、
Ａ2は直接結合又は炭素原子数１ないし１０のアルキレン基を表し、及び
ｎ1は２ないし５０の数を表す。）で表される化合物；
式（Ａ−２−ａ）及び（Ａ−２−ｂ）
【化１０１】
0005204363.tif 000003
（式中、ｎ2及びｎ2＊は２ないし５０の数を表す。）で表される化合物の少なくとも１つ；
式（Ａ−３）
【化１０２】
0005204363.tif 000004
（式中、Ａ3及びＡ4は、互いに独立して、水素原子又は炭素原子数１ないし８のアルキル基を表すか、もしくはＡ3及びＡ4が一緒になって、炭素原子数２ないし１４のアルキレン基を形成し、及び
変数ｎ3は互いに独立して、１ないし５０の数を表す。）で表される化合物；又は式（Ａ−４）
【化１０３】
0005204363.tif 000005
〔式中、ｎ4は２ないし５０の数を表し、
Ａ5は、水素原子又は炭素原子数１ないし４のアルキル基を表し、
基Ａ6及びＡ7は、互いに独立して、炭素原子数１ないし４のアルキル基又は
式（ａ−１）の基
【化１０４】
0005204363.tif 000006
（式中、Ａ8は、水素原子又は炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基又は炭素原子数１ないし８のアシル基を表す。）を表し、但し、基Ａ７の少なくとも５０％は、式（ａ−１）基を表す。〕で表される化合物であり；
成分Ｂは、式（Ｉ）又は（ＩＩ）の基
【化１０５】
0005204363.tif 000007
を含む低分子量立体障害アミン化合物であり；及び
成分Ｃは、式（Ｉ）の基を含む高分子量立体障害アミン化合物であるが、
但し、成分（Ａ）、（Ｂ）及び（Ｃ）は異なる安定剤混合物に関する。【０００４】  好ましくは、成分（Ｂ）の化合物は、１，０００ｇ／ｍｏｌ以下、例えば１５５ないし８００ｇ／ｍｏｌ、又は１５５ないし１，０００ｇ／ｍｏｌ、又は３００ないし８００ｇ／ｍｏｌ、又は３００ないし１，０００ｇ／ｍｏｌの分子量を有する。【０００５】  好ましい、高分子量立体障害アミン化合物（成分（Ｃ））は、１，０００ｇ／ｍｏｌ以上好ましくは１，０００以上１００，０００ｇ／ｍｏｌ以下、例えば、５０，０００ｇ／ｍｏｌ以下、又は２０，０００ｇ／ｍｏｌ以下の分子量を有するものである。１，５００ないし１５，０００ｇ／ｍｏｌ、又は１，５００ないし５，０００ｇ／ｍｏｌの分子量が、特に好ましい。好ましい成分（Ｂ）の分子量は又、８００以上ないし１００，０００ｇ／ｍｏｌ以下、例えば、５０，０００ｇ／ｍｏｌ以下、又は２０，０００ｇ／ｍｏｌ以下である。８００以上ないし１５，０００ｇ／ｍｏｌ以下、又は８００以上ないし５，０００ｇ／ｍｏｌ以下の分子量も又好ましい。【０００６】  式（Ａ−２−ａ）及び（式Ａ−２−ｂ）の化合物も又、混合物として適用され得、これら２つの化合物は、１：２０ないし２０：１、好ましくは１：１０ないし１０：１の重量比で存在し得る。【０００７】  成分（Ｂ）は、好ましくは式（Ｂ−１）
【化１０６】
0005204363.tif 000008
〔式中、Ｅ1は、水素原子、炭素原子数１ないし８のアルキル基、Ｏ・、−ＯＨ、−ＣＨ２ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基を表す。）又は炭素原子数１ないし８のアシル基を表し、
ｍは、１、２又は４を表し、
もしもｍ1が１の場合、Ｅ2は炭素原子数１ないし２５のアルキル基を表し、
もしもｍ1が２の場合、Ｅ2は炭素原子数１ないし１４のアルキレン基又は式（ｂ−１）
【化１０７】
0005204363.tif 000009
（式中、Ｅ3は炭素原子数１ないし１０のアルキル基又は炭素原子数２ないし１０のアルケニル基を表し、Ｅ4は炭素原子数１ないし１０のアルキレン基を表し、そしてＥ5及びＥ6は、互いに独立して、炭素原子数１ないし４のアルキル基、シクロヘキシル基、又はメチルシクロヘキシル基を表す。）を表し、及び
もしもｍ1が４の場合、Ｅ2は炭素原子数４ないし１０のアルカンテトライル基を表す。〕で表される化合物；
式（Ｂ−２）
【化１０８】
0005204363.tif 000010
〔式中、基Ｅ7の２つは−ＣＯＯ−（炭素原子数１ないし２０のアルキル基）を表し、又
基Ｅ7の２つは式（ｂ−ＩＩ）
【化１０９】
0005204363.tif 000011
（式中、Ｅ8は前記Ｅ1の意味の１つを有する。）
の基を表す。〕で表される化合物;
式（Ｂ−３）
【化１１０】
0005204363.tif 000012
（式中、Ｅ9及びＥ10は、一緒になって、炭素原子数２ないし１４のアルキレン基を形成し、
Ｅ11は、水素原子又は基−Ｚ1−ＣＯＯ−Ｚ2を表し、
Ｚ1は、炭素原子数２ないし１４のアルキレン基を表し、
Ｚ2は、炭素原子数１ないし２４のアルキル基を表し、及び
Ｅ12は、前記Ｅ1の意味の１つを有する。）で表される化合物；
式（Ｂ−４）
【化１１１】
0005204363.tif 000013
（式中、基Ｅ13は、互いに独立して、前記Ｅ1の意味の１つを有し、
基Ｅ14は、互いに独立して、水素原子又は炭素原子数１ないし１２のアルキル基を表し、及び
Ｅ15は、炭素原子数１ないし１０のアルキレン基又は炭素原子数３ないし１０のアルキリデン基を表す。）で表される化合物；
式（Ｂ−５）
【化１１２】
0005204363.tif 000014
（式中、基Ｅ16は、互いに独立して、前記Ｅ1の意味の１つを有する。）
で表される化合物；
式（Ｂ−６）
【化１１３】
0005204363.tif 000015
（式中、Ｅ17は、炭素原子数１ないし２４のアルキル基、及び
Ｅ18は、前記Ｅ1の意味の１つを有する。）で表される化合物；
式（Ｂ−７）
【化１１４】
0005204363.tif 000016
〔式中、Ｅ19、Ｅ20及びＥ21は、互いに独立して、式（ｂ−ＩＩＩ）
【化１１５】
0005204363.tif 000017
（式中、Ｅ22は、前記Ｅ1の意味の１つを有する。）の基を表す。〕
で表される化合物；
式（Ｂ−８）
【化１１６】
0005204363.tif 000018
（式中、基Ｅ23は、互いに独立して、前記Ｅ1の意味の１つを有し、
及び基Ｅ24は、水素原子、炭素原子数１ないし１２のアルキル基又は、炭素原子数１ないし１２のアルコキシ基を表す。）で表される化合物；
式（Ｂ−９）
【化１１７】
0005204363.tif 000019
〔式中、ｍ2は、１、２又は３を表し、
Ｅ25は、前記Ｅ1の意味の１つを有し、及び
ｍ2が１の場合は、Ｅ26は基
【化１１８】
0005204363.tif 000020
を表し、
ｍ2が２の場合は、Ｅ26は炭素原子数２ないし２２のアルキレン基を表し、又ｍ2が３の場合は、Ｅ26は式（ｂ−ＩＶ）
【化１１９】
0005204363.tif 000021
（式中、基Ｅ27は、互いに独立して、炭素原子数２ないし１２のアルキレン基を表し、及び
基Ｅ28は、互いに独立して、炭素原子数１ないし１２のアルキル基、又は炭素原子数５ないし１２のシクロアルキル基を表す。）の基を表す。〕で表される化合物；又は
式（Ｂ−１０）
【化１２０】
0005204363.tif 000022
（式中、基Ｅ29は、互いに独立して、前記Ｅ１の意味の１つを有し、及び
Ｅ30は、炭素原子数２ないし２２のアルキレン基、炭素原子数５ないし７のシクロアルキレン基、炭素原子数１ないし４のアルキレンジ（炭素原子数５ないし７のシクロアルキレン）、フェニレン又はフェニレンジ（炭素原子数１ないし４のアルキレン）を表す。）の化合物である。【０００８】  成分（Ｃ）は、好ましくは、式（Ｃ−１）
【化１２１】
0005204363.tif 000023
（式中、Ｒ1、Ｒ3、Ｒ4及びＲ5は、互いに独立して、水素原子、炭素原子数１ないし１２のアルキル基、炭素原子数５ないし１２のシクロアルキル基、炭素原子数１ないし４のアルキル基により置換された炭素原子数５ないし１２のシクロアルキル基、フェニル基、−ＯＨ及び／又は炭素原子数１ないし１０のアルキル基によって置換されたフェニル基、炭素原子数７ないし９のフェニルアルキル基、−ＯＨ及び／又は炭素原子数１ないし１０のアルキル基によってフェニル基上を置換された炭素原子数７ないし９のフェニルアルキル基、又は式（ｃ−Ｉ）
【化１２２】
0005204363.tif 000024
の基を表し、
Ｒ2は、炭素原子数２ないし１８のアルキレン基、炭素原子数５ないし７のシクロアルキレン基、又は炭素原子数１ないし４のアルキレンジ（炭素原子数５ないし７のシクロアルキレン）を表すか、又は
基Ｒ1、Ｒ2及びＲ3が、それらが結合する窒素原子と一緒になって、５−ないし１０−員複素環式環を形成するか、又は
Ｒ4及びＲ5が、それらが結合する窒素原子と一緒になって、５−ないし１０−員複素環式環を形成し、
Ｒ6は、水素原子、炭素原子数１ないし８のアルキル基、Ｏ・、−ＯＨ、−ＣＨ２ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表し、及び
ｂ1は、２ないし５０の数を表し、
但し、基Ｒ1、Ｒ3、Ｒ4及びＲ5の少なくとも１つは、式（ｃ−Ｉ）の基を表す。）で表される化合物；
式（Ｃ−２）
【化１２３】
0005204363.tif 000025
〔式中、Ｒ7及びＲ11は、互いに独立して水素原子、又は炭素原子数１ないし１２のアルキル基を表し、
Ｒ8、Ｒ9及びＲ10は、互いに独立して、炭素原子数２ないし１０のアルキレン基を表し、及び
Ｘ1、Ｘ2、Ｘ3、Ｘ4、Ｘ5、Ｘ6、Ｘ7、及びＸ8は、互いに独立して、式（ｃ−ＩＩ）
【化１２４】
0005204363.tif 000026
（式中、Ｒ12は、水素原子、炭素原子数１ないし１２のアルキル基、炭素原子数５ないし１２のシクロアルキル基、炭素原子数１ないし４のアルキル基により置換された炭素原子数１ないし１２のシクロアルキル基、フェニル基、−ＯＨ及び／又は炭素原子数１ないし１０のアルキル基置換されたフェニル基、炭素原子数７ないし９のフェニルアルキル基、−ＯＨにより及び／又は炭素原子数１ないし１０のアルキル基によってフェニル基上を置換された炭素原子数７ないし９のフェニルアルキル基、又は
上記で定義された式（ｃ−Ｉ）の基を表し、及び
Ｒ13は、前記Ｒ6の意味の１つを有する。）を表す。〕で表される化合物；
式（Ｃ−３）
【化１２５】
0005204363.tif 000027
（式中、Ｒ14は、炭素原子数１ないし１０のアルキル基、炭素原子数５ないし１２のシクロアルキル基、炭素原子数１ないし４のアルキル基により置換された炭素原子数５ないし１２のシクロアルキル基、フェニル基、又は炭素原子数１ないし１０のアルキル基により置換されたフェニル基を表し、
Ｒ15は、炭素原子数３ないし１０のアルキレン基を表し、
Ｒ16は、前記Ｒ6の意味の１つを有し、及び
ｂ2は、２ないし５０の数を表す。）
で表される化合物；
式（Ｃ−４）
【化１２６】
0005204363.tif 000028
〔式中、Ｒ17及びＲ21は、互いに独立して、直接結合、又は−Ｎ（Ｘ9）−ＣＯ−Ｘ10−ＣＯ−Ｎ（Ｘ11）−基（式中、Ｘ9及びＸ11は、互いに独立して、水素原子、炭素原子数１ないし８のアルキル基、炭素原子数５ないし１２のシクロアルキル基、フェニル基、炭素原子数７ないし９のフェニルアルキル基、又は式（ｃ−Ｉ）の基を表し、
Ｘ10は、直接結合、又は炭素原子数１ないし４のアルキレン基を表す。）を表し、Ｒ18は、前記Ｒ6の意味の１つを有し、
Ｒ19、Ｒ20、Ｒ23及びＲ24は、互いに独立して、水素原子、炭素原子数１ないし３０のアルキル基、炭素原子数５ないし１２のシクロアルキル基、又はフェニル基を表し、
Ｒ22は、水素原子、炭素原子数１ないし３０のアルキル基、炭素原子数５ないし１２のシクロアルキル基、フェニル基、炭素原子数７ないし９のフェニルアルキル基、又は式（ｃ−Ｉ）の基を表し、及び
ｂ3は１ないし５０の数を表す。〕で表される化合物；
式（Ｃ−５）
【化１２７】
0005204363.tif 000029
〔式中、Ｒ25、Ｒ26、Ｒ27、Ｒ28及びＲ29は、互いに独立して、直接結合、又は、炭素原子数１ないし１０のアルキレン基を表し、
Ｒ30は、前記Ｒ6の意味の１つを有し、及び
ｂ4は１ないし５０の数を表す。）で表される化合物；又は
塩化シアヌルと式（Ｃ−６−１）
【化１２８】
0005204363.tif 000030
（式中、ｂ´5、ｂ´´5及びｂ´´´5は、互いに独立して２ないし１２の数を表す。）のポリアミンの反応によって得られる生成物を、式（Ｃ−６−２）
【化１２９】
0005204363.tif 000031
（式中、Ｒ31は、水素原子、炭素原子数１ないし１２のアルキル基、炭素原子数５ないし１２のシクロアルキル基、フェニル基、又は炭素原子数７ないし９のフェニルアルキル基を表し、及びＲ32は、前記Ｒ6の意味の１つを有する。）
で表される化合物と反応させることによって得られ得る生成物（Ｃ−６）
である。【０００９】  ３０個までの炭素原子を有するアルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基、ドコシル基およびトリアコンチル基である。Ａ8、Ｅ1、Ｅ8、Ｅ12、Ｅ13、Ｅ16、Ｅ18、Ｅ22、Ｅ23、Ｅ25、Ｅ29、Ｒ6、Ｒ13、Ｒ16、Ｒ18、Ｒ30及びＲ32の好ましい定義の一つは、炭素原子数１ないし４のアルキル基、特にメチル基である。Ｒ31は、好ましくはブチル基である。【００１０】  １８個までの炭素原子を有するアルコキシ基の例は、メトキシ基、エトキシ基、プロポキシ基、イソプロポキシ基、ブトキシ基、イソブトキシ基、ペントキシ基、イソペントキシ基、ヘキソキシ基、ヘプトキシ基、オクトキシ基、デシロキシ基、ドデシルオキシ基、テトラデシルオキシ基、ヘキサデシルオキシ基およびオクタデシルオキシ基である。Ｅ1の好ましい意味の一つはオクトキシ基である。Ｅ24は、好ましくは炭素原子数１ないし４のアルコキシ基を表わし、そしてＲ6の好ましい意味の一つはプロポキシ基である。【００１１】  炭素原子数５ないし１２のシクロアルキル基の例は、シクロペンチル基、シクロヘキシル基、シクロヘプチル基、シクロオクチル基およびシクロドデシル基である。炭素原子数５ないし８のシクロアルキル基、特にシクロヘキシル基が好ましい。【００１２】  炭素原子数１ないし４のアルキル基で置換された炭素原子数５ないし１２のシクロアルキル基の例は、例えばメチルシクロヘキシル基またはジメチルシクロヘキシル基である。【００１３】  炭素原子数５ないし１２のシクロアルコキシ基の例は、シクロペントキシ基、シクロヘキソキシ基、シクロヘプトキシ基、シクロオクトキシ基、シクロデシルオキシ基およびシクロドデシルオキシ基である。炭素原子数５ないし８のシクロアルコキシ基、特にシクロペントキシ基およびシクロヘキソキシ基が好ましい。【００１４】  −ＯＨ−および／または炭素原子数１ないし１０のアルキル−置換されたフェニル基は、例えばメチルフェニル基、ジメチルフェニル基、トリメチルフェニル基、第三ブチルフェニル基または３，５−ジ−第三ブチル−４−ヒドロキシフェニル基である。【００１５】  炭素原子数７ないし９のフェニルアルキル基の例は、ベンジル基およびフェニルエチル基である。【００１６】  フェニル基上で−ＯＨにより、そして／または１０個までの炭素原子を有するアルキル基により置換された炭素原子数７ないし９のフェニルアルキル基は、例えばメチルベンジル基、ジメチルベンジル基、��リメチルベンジル基、第三ブチルベンジル基または３，５−ジ−第三ブチル−４−ヒドロキシベンジル基である。【００１７】  １０個までの炭素原子を有するアルケニル基の例は、アリル基、２−メタリル基、ブテニル基、ペンチニル基およびヘキセニル基である。アリル基が好ましい。１位の炭素原子は、好ましくは飽和である。【００１８】  ８個より多くない炭素原子を有するアシル基の例は、ホルミル基、アセチル基、プロピオニル基、ブチリル基、ペンタノイル基、ヘキサノイル基、ヘプタノイル基、オクタノイル基、アクリロイル基、メタクリロイル基およびベンゾイル基である。炭素原子数１ないし８のアルカノイル基、炭素原子数３ないし８のアルケニル基およびベンゾイル基が好ましい。アセチル基およびアクリロイル基は特に好ましい。【００１９】  ２２個までの炭素原子を有するアルキレン基の例は、メチレン基、エチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基およびデカメチレン基である。【００２０】  炭素原子数３ないし１０のアルキリデン基の例は、次式
【化１３０】
0005204363.tif 000032
で表わされる基である。【００２１】  炭素原子数４ないし１０のアルカンテトライル基の例は、１，２，３，４−ブタンテトライル基である。【００２２】  炭素原子数５ないし７のシクロアルキレン基の例は、シクロヘキシレン基である。【００２３】  炭素原子数１ないし４のアルキレンジ（炭素原子数５ないし７のシクロアルキレン）基の例は、メチレンジシクロヘキシレン基である。【００２４】  フェニレンジ（炭素原子数１ないし４のアルキレン）基の例は、メチレン−フェニレン−メチレン基またはエチレン−フェニレン−エチレン基である。【００２５】  基Ｒ1、Ｒ2およびＲ3が、それらが結合している窒素原子と一緒になって５−ないし１０−員複素環を形成する場合、この環は例えば
【化１３１】
0005204363.tif 000033
を表す。６−員複素環が好ましい。【００２６】  基Ｒ4およびＲ5が、それらが結合している窒素原子と一緒になって５ないし１０員複素環を形成する場合、この環は例えば１−ピロリジル基、ピペリジノ基、モルホリノ基、１−ピペラジニル基、４−メチル−１−ピペラジニル基、１−ヘキサヒドロアゼピニル基、５，５，７−トリメチル−１−ホモピペラジニル基または４，５，５，７−テトラメチル−１−ホモピペラジニル基を表わす。モルホリノ基が特に好ましい。【００２７】  Ｒ19およびＲ23の好ましい定義の一つはフェニル基である。【００２８】  Ｒ26は、好ましくは直接結合である。【００２９】  ｎ1、ｎ2、ｎ2＊およびｎ4は、好ましくは２ないし２５、特に２ないし２０の数である。ｎ3は好ましくは１ないし２５、特に１ないし２０の数である。【００３０】  ｂ1およびｂ2は、好ましくは２ないし２５、特に２ないし２０の数である。【００３１】  ｂ3およびｂ4は、好ましくは１ないし２５、特に１ないし２０の数である。【００３２】  ｂ´5およびｂ´´´5は、好ましくは３であり、そしてｂ´´5は好ましくは２である。【００３３】  成分（Ａ）、（Ｂ）及び（Ｃ）として上記された化合物は本質的に既知であり、そして市販品として入手可能である。それらの全ては既知の方法により製造され得る。【００３４】  成分（Ａ）の化合物の製造方法は、例えば、米国特許第４，２３３，４１２号明細書、米国特許第４，３４０，５３４号明細書、ＷＯ−Ａ−９８／５１，６９０号公報、及び欧州特許出願公開第１，８０３号明細書に記載されている。【００３５】  成分（Ｂ）の化合物の製造方法は、例えば、米国特許第５，６７９，７３３号号明細書、米国特許第３，６４０，９２８号明細書、米国特許第４，１９８，３３４号明細書、米国特許第５，２０４，４７３号明細書、米国特許第４，６１９，９５８号明細書、米国特許第４，１１０，３０６号明細書、米国特許第４，１１０，３３４号明細書、米国特許第４，６８９，４１６号明細書、米国特許第４，４０８，０５１号明細書、米国特許第７６８，１７５〔Ｄｅｒｗｅｎｔ  ８８−１３８，７５１／２０〕号明細書、米国特許第５，０４９，６０４号明細書、米国特許第４，７６９，４５７号明細書、米国特許第４，３５６，３０７号明細書、米国特許第４，６１９，９５６号明細書、米国特許第５，１８２，３９０号明細書、英国特許出願公開第２，２６９，８１９号明細書、米国特許第４，２９２，２４０号明細書、米国特許第５，０２６，８４９号明細書、米国特許第５，０７１，９８１号明細書、米国特許第４，５４７，５３８号明細書及び米国特許第４，９７６，８８９号明細書に記載されている。【００３６】  成分（Ｃ）の化合物の製造方法は、例えば，米国特許第４，０８６，２０４号明細書、米国特許第６，０４６，３０４号明細書、米国特許第４，３３１，５８６号明細書、米国特許第４，１０８，８２９号明細書、米国特許第５，０５１，４５８号明細書、ＷＯ−Ａ−９４／１２，５４４〔Ｄｅｒｗｅｎｔ  ９４−１７７，２７４／２２〕号明細書、ドイツ国特許出願公開第２６２，４３９〔Ｄｅｒｗｅｎｔ  ８９−１２２，９８３／１７〕号明細書、米国特許第４，８５７，５９５号明細書、米国特許第４，５２９，７６０号明細書及び米国特許第４，４７７，６１５号明細書、及びＣＡＳ１３６，５０４−９６−６に記載されている。【００３７】  生成物（Ｃ−６）は公知の方法と同様に、例えば式（Ｃ−６−１）で表わされるポリアミンを塩化シアヌルとモル比１：２ないし１：４で、無水炭酸リチウム、炭酸ナトリウムまたは炭酸カリウムの存在下、１，２−ジクロロエタン、トルエン、キシレン、ベンゼン、ジオキサンまたは第三アミルアルコールのような有機溶媒中で、−２０℃ないし＋１０℃、好ましくは−１０℃ないし＋１０℃、特に０ないし＋１０℃の温度で、２ないし８時間反応させ、続いて得られた生成物を式（Ｃ−６−２）で表わされる２，２，６，６−テトラメチル−４−ピペリジルアミンと反応させることにより製造され得る。使用される２，２，６，６−テトラメチル−４−ピペリジルアミンと式（Ｂ−６−１）で表わされるポリアミンのモル比は、例えば４：１ないし８：１である。２，２，６，６−テトラメチル−４−ピペリジルアミンの分量は、一部で、または一より多い部で数時間の間隔ごとに添加されてもよい。【００３８】式（Ｃ−６−１）で表わされるポリアミンと塩化シアヌルと式（Ｃ−６−２）で表わされる２，２，６，６−テトラメチル−４−ピペリジルアミンのモル比は、好ましくは１：３：５ないし１：３：６である。【００３９】  以下に、好ましい生成物（Ｃ−６−ａ）の製造方法の例の１つを示す。
実施例：塩化シアヌル２３．６ｇ（０．１２８モル）、Ｎ，Ｎ’−ビス［３−アミノプロピル］エチレンジアミン７．４３ｇ（０．０４２６モル）および無水炭酸カリウム１８ｇ（０．１３モル）を５℃で３時間、１，２−ジクロロエタン２５０ｍｌ中で撹拌しながら反応させる。更に４時間かけて、混合物を室温で保温する。Ｎ−（２，２，６，６−テトラメチル−４−ピペリジル）ブチルアミン２７．２ｇ（０．１２８モル）を添加し、そして得られた混合物を６０℃で２時間加熱する。更に無水炭酸カリウム１８ｇ（０．１３モル）を添加し、そして混合物を更に６時間６０℃で加熱する。わずかに真空（２００ミリバール）下で蒸留することにより溶媒を除去し、そしてキシレンで置換する。Ｎ−（２，２，６，６−テトラメチル−４−ピペリジル）ブチルアミン１８．２ｇ（０．０８５モル）および粉砕水酸化ナトリウム５．２ｇ（０．１３モル）を添加し、混合物を還流下で２時間加熱し、そして更に１２時間、反応の間に生成された水を共沸蒸留により除去する。混合物をろ過する。溶液を水で洗浄し、そしてＮａ2ＳＯ4上で乾燥させる。溶媒をエバポレーションし、そして残渣を１２０ないし１３０℃、真空（０．１ミリバール）下で乾燥させる。望ましい生成物は無色樹脂として得られる。【００４０】  一般的に、生成物（Ｃ−６）は例えば、次式（Ｃ−６−α）、（Ｃ−６−β）又は（Ｃ−６−γ）
【化１３２】
0005204363.tif 000034
で表わされる化合物により表わされ得る。また、これら３つの化合物の混合物の形態であってもよい。【００４１】  式（Ｃ−６−α）の好ましい意味は
【化１３３】
0005204363.tif 000035
である。【００４２】  式（Ｃ−６−β）の好ましい意味は
【化１３４】
0005204363.tif 000036
である。【００４３】  式（Ｃ−６一γ）の好ましい意味は
【化１３５】
0005204363.tif 000037
である。【００４４】  上記の式（Ｃ−６−α）ないし（Ｃ−６−γ）において、ｂ５は好ましくは２ないし２０、特に２ないし１０である。【００４５】  成分（Ａ）は、好ましくは、チヌビン  ６２２（登録商標：ＴＩＮＵＶＩＮ  ６２２）、ホスタビン  Ｎ  ３０（登録商標：ＨＯＳＴＡＶＩＮ  Ｎ  ３０）又はフェルロ  ＡＭ  ８０６（登録商標：ＦＥＲＲＯ  ＡＭ８０６）である。【００４６】  成分（Ｂ）は、好ましくは、ダスチブ  ８４５（登録商標：ＤＡＳＴＩＢ  ８４５）、チヌビン  ７７０（登録商標：ＴＩＮＵＶＩＮ  ７７０）、チヌビン  ７６５（登録商標：ＴＩＮＵＶＩＮ  ７６５）、チヌビン  １４４（登録商標：ＴＩＮＵＶＩＮ  １４４）、チヌビン  １２３（登録商標：ＴＩＮＵＶＩＮ  １２３）、ＡＤＫ  スタブ  ＬＡ  ５２（登録商標：ＡＤＫ  ＳＴＡＢ  ＬＡ  ５２）、ＡＤＫ  スタブ  ＬＡ  ５７（登録商標：ＡＤＫ  ＳＴＡＢ  ＬＡ  ５７）、ＡＤＫ  スタブ  ＬＡ  ６２（登録商標：ＡＤＫ  ＳＴＡＢ  ＬＡ  ６２）、ＡＤＫ  スタブ  ＬＡ  ６７（登録商標：ＡＤＫ  ＳＴＡＢ  ＬＡ  ６７）、ホスタビン  Ｎ  ２０（登録商標：ＨＯＳＴＡＶＩＮ  Ｎ  ２０）、ホスタビン  Ｎ  ２４（登録商標：ＨＯＳＴＡＶＩＮ  Ｎ  ２４）、サンデュボア  ３０５０（登録商標：ＳＡＮＤＵＶＯＲ  ３０５０）、ジアセタム  ５（登録商標：ＤＩＡＣＥＴＡＭ  ５）、スミソルブ  ＴＭ  ６１（登録商標：ＳＵＭＩＳＯＲＢ  ＴＭ６１）、ユビヌル  ４０４９（登録商標：ＵＶＩＮＵＬ  ４０４９）、サンデュボア  ＰＲ  ３１（登録商標：ＳＡＮＤＵＶＯＲ  ＰＲ３１）、グッドライト  ＵＶ  ３０３４（登録商標：ＧＯＯＤＲＩＴＥ  ＵＶ  ３０３４）、グッドライト  ＵＶ  ３１５０（登録商標：ＧＯＯＤＲＩＴＥ  ＵＶ  ３１５０）、グッドライト  ＵＶ  ３１５９（登録商標：ＧＯＯＤＲＩＴＥ  ＵＶ  ３１５９）、グッドライト  ３１１０×１２８（登録商標：ＧＯＯＤＲＩＴＥ  ３１１０×１２８）、又はユビヌル  ４０５０  Ｈ（登録商標：ＵＶＩＮＵＬ  ４０５０  Ｈ）である。【００４７】  成分（Ｃ）は、好ましくは、チマソルブ  ９４４（登録商標：ＣＨＩＭＡＳＳＯＲＢ  ９４４）、チマソルブ  ２０２０（登録商標：ＣＨＩＭＡＳＳＯＲＢ  ２０２０）、シアソルブ  ＵＶ  ３３４６（登録商標：ＣＹＡＳＯＲＢ  ＵＶ  ３３４６）、シアソルブ  ＵＶ  ３５２９（登録商標：ＣＹＡＳＯＲＢ  ＵＶ  ３５２９）、ダスチブ  １０８２（登録商標；ＤＡＳＴＩＢ  １０８２）、チマソルブ  １１９（登録商標：ＣＨＩＭＡＳＳＯＲＢ  １１９）、ユバシル  ２９９（登録商標：ＵＶＡＳＩＬ  ２９９）、ユバシル  １２５（登録商標：ＵＶＡＳＩＬ  １２５）、ユバシル  ２０００（登録商標：ＵＶＡＳＩＬ  ２０００）、ユビヌル  ５０５０  Ｈ（登録商標：ＵＶＩＮＵＬ  ５０５０  Ｈ）、リヒツフツシュトフ  ＵＶ  ３１（登録商標：ＬＩＣＨＴＳＣＨＵＴＺＳＴＯＦＦ  ＵＶ  ３１）、ルケム  ＨＡ  Ｂ  １８（登録商標：ＬＵＣＨＥＭ  ＨＡ  Ｂ  １８）、ＡＤＫ  ＳＡＴＢ  ＬＡ  ６３（登録商標：ＡＤＫ  ＳＡＴＢ  ＬＡ  ６３）、ＡＤＫ  ＳＡＴＢ  ＬＡ  ６８（登録商標：ＡＤＫ  ＳＡＴＢ  ＬＡ  ６８）、又はユバソルブ  ＨＡ  ８８（登録商標：ユバソルブ  ＨＡ  ８８）である。【００４８】  式（Ａ−１）、（Ａ−２−ａ）、（Ａ−２−���）、（Ａ−４）、（Ｃ−１）、（Ｃ−３）、（Ｃ−４）、（Ｃ−５）、（Ｃ−６−α）、（Ｃ−６−β）、及び（Ｃ−６−γ）の化合物における遊離原子価を飽和する末端基の意味は、それらの製造に使用された方法に依存する。また末端基は、化合物の製造後にも変性され得る【００４９】  式（Ａ−１）で表わされる化合物を、次式
【化１３６】
0005204363.tif 000038
（式中、Ａ1は、水素原子又はメチル基を表す。）で表わされる化合物と式
Ｙ−ＯＯＣ−Ａ2−ＣＯＯ−Ｙ（式中Ｙは、例えばメチル基、エチル基、又はプロピル基を表し、及びＡ2は上記で定義された通りである。）で表わされる化合物と反応させることにより製造される場合、２，２，６，６−テトラメチル−４−オキシピペリジン−１−イル基に結合している末端基は水素原子又は−ＣＯ−Ａ2−ＣＯＯ−Ｙであり、そしてジアシル基に結合している末端基は−Ｏ―Ｙ又は
【化１３７】
0005204363.tif 000039
である。【００５０】  式（Ａ−２−ａ）で表わされる化合物において、窒素原子に結合している末端基は例えば、水素原子であり得り、そして２−ヒドロキシプロピレン基に結合している末端基は、例えば
【化１３８】
0005204363.tif 000040
で表される基であり得る。【００５１】  式（Ａ−２−ｂ）で表わされる化合物において、ジメチレン基に結合している末端基は例えば、−ＯＨであり得り、そして酸素原子に結合している末端基は例えば水素原子であり得る。末端基は又、ポリエーテル基でもあり得る。【００５２】  式（Ａ−４）で表わされる化合物において、−ＣＨ2−残基に結合している末端基は例えば、水素原子あり得、そして−ＣＨ（ＣＯ2Ａ7）残基に結合している末端基は例えば−ＣＨ＝ＣＨ−ＣＯＯＡ7であり得る。【００５３】  式（Ｃ−１）で表わされる化合物が次式
【化１３９】
0005204363.tif 000041
（式中、Ｘは例えばハロゲン原子、特に塩素原子を表わし、そしてＲ4およびＲ5は上記で定義された通りである。）で表わされる化合物を次式
【化１４０】
0005204363.tif 000042
（式中、Ｒ1、Ｒ2およびＲ3は上記で定義された通りである。）で表わされる化合物と反応させることにより製造される場合、ジアミノ基に結合している末端基は水素原子又は
【化１４１】
0005204363.tif 000043
であり、そしてトリアジン基に結合している末端基はＸまたは
【化１４２】
0005204363.tif 000044
である。
Ｘが水素原子である場合、反応終了時、これを例えば−ＯＨまたはアミノ基により置換することは有利である。言及されてよいアミノ基の例は、ピロリジン−１−イル基、モルホリノ基、−ＮＨ2、−Ｎ（炭素原子数１ないし８のアルキル）2基および−ＮＲ（炭素原子数１ないし８のアルキル）基（式中、Ｒは水素原子または式（ｃ−１）で表わされる基を表わす。）である。【００５４】  式（Ｃ−１）で表わされる化合物はまた、次式
【化１４３】
0005204363.tif 000045
（式中、Ｒ1、Ｒ2、Ｒ3、Ｒ4、Ｒ5およびｂ1は上記で定義された通りであり、そしてＲ4＊はＲ4の意味の一つを有し、そしてＲ5＊はＲ5の意味の一つを有する。）で表わされる化合物も包括する。【００５５】  特に好ましい式（Ｃ−１）で表わされる化合物の一つは次式
【化１４４】
0005204363.tif 000046
で表わされる。【００５６】  この化合物の製造方は例えば米国特許第６，０４６，３０４号明細書に記載されている。【００５７】  式（Ｃ−３）で表わされる化合物において、ケイ素原子に結合している末端基は例えば（Ｒ14）3Ｓｉ−Ｏ−であり得、そして酸素原子に結合している末端基は例えば−Ｓｉ（Ｒ14）3であり得る。【００５８】  ｂ2が３ないし１０の数であり、すなわち構造式中に示された遊離原子価が直接結合を形成する場合、式（Ｃ−３）で表わされる化合物はまた、環式化合物の形状であってもよい。【００５９】  式（Ｃ−４）で表わされる化合物に率いて、２，５−ジオキソピロリジン環に結合している末端基は例えば水素原子であり、そして−Ｃ（Ｒ23）（Ｒ24）−基に結合している末端基は例えば
【化１４５】
0005204363.tif 000047
である。【００６０】  式（Ｃ−５）で表される化合物において、カルボニル基に結合している末端基は例えば
【化１４６】
0005204363.tif 000048
であり、そして酸素原子基に結合している末端基は例えば
【化１４７】
0005204363.tif 000049
である。【００６１】  式（Ｃ−６−α）、（Ｃ−６−β）および（Ｃ−６−γ）で表される化合物において、トリアジン基に結合している末端基は例えばＣｌまたは
【化１４８】
0005204363.tif 000050
基であり、そしてアミノ基に結合している末端基は例えば水素原子または
【化１４９】
0005204363.tif 000051
基である。【００６２】  Ａ8は、好ましくは水素原子、炭素原子数１ないし４のアルキル基、炭素原子数１ないし１０のアルコキシ基、シクロヘキシルオキシ基、アリル基、ベンジル基又はアセチル基である。【００６３】  Ｅ1、Ｅ8、Ｅ12、Ｅ13、Ｅ16、Ｅ18、Ｅ22、Ｅ23、Ｅ25、及びＥ29は、好ましくは水素原子、炭素原子数１ないし４のアルキル基、炭素原子数１ないし１０のアルコキシ基、シクロヘキシルオキシ基、アリル基、ベンジル基又はアセチル基である。【００６４】  Ｒ6、Ｒ13、Ｒ16、Ｒ18、Ｒ30及びＲ32は、好ましくは水素原子、炭素原子数１ないし４のアルキル基、炭素原子数１ないし１０のアルコキシ基、シクロヘキシルオキシ基、アリル基、ベンジル基又はアセチル基である。【００６５】  Ａ8、Ｅ1、Ｅ8、Ｅ12、Ｅ13、Ｅ16、Ｅ18、Ｅ22、Ｅ23、Ｅ25、Ｅ29、Ｒ6、Ｒ13、Ｒ16、Ｒ18、Ｒ30及びＲ32は、特に水素原子又はメチル基であり、そしてＥ1及びＲ6が更に、炭素原子数１ないし８のアルコキシ基である。【００６６】好ましい態様に従って、
Ａ1が、水素原子又はメチル基を表し、
Ａ2が、直接結合又は炭素原子数２ないし６のアルキレン基を表し、及び
ｎ1が、２ないし２５の数を表し、
ｎ2及びｎ2＊が２ないし２５の数を表し、
Ａ3及びＡ4が、互いに独立して、水素原子、又は炭素原子数１ないし４のアルキル基を表すか、又はＡ3及びＡ4が一緒になって、炭素原子数９ないし１３のアルキレン基を形成し、及び
変数ｎ3が、互いに独立して、１ないし２５の数を表し、
ｎ4が、２ないし２５の数を表し、
Ａ5及びＡ6が、互いに独立して、炭素原子数１ないし４のアルキル基を表し、及び
Ａ7が、炭素原子数１ないし４のアルキル基、又は式（ａ−１）の基を表し、
但し、基Ａ7の少なくとも５０％が、式（ａ−１）の基を表す。【００６７】  さらなる好ましい態様に従って、
ｍ1は、１、２又は４を表し、
もしもｍ1が１の場合、Ｅ2は、炭素原子数１２ないし２０のアルキル基を表し、
もしもｍ1が２の場合、Ｅ2は、炭素原子数２ないし１０のアルキレン基、又は式（ｂ−１）の基を表し、
Ｅ3は、炭素原子数１ないし４のアルキル基を表し、
Ｅ4は、炭素原子数１ないし６のアルキレン基を表し、及び
Ｅ5及びＥ6は互いに独立して、炭素原子数１ないし４のアルキル基を表し、又
もしもｍ1が４の場合、Ｅ2は、炭素原子数４ないし８のアルカンテトライル基を表し、
基Ｅ7の２つは、−ＣＯＯ−（炭素原子数１０ないし１５のアルキル基）を、又基Ｅ7の２つは、式（ｂ−ＩＩ）の基を表し、
Ｅ9及びＥ10は、一緒になって、炭素原子数９ないし１３のアルキレン基を形成し、
Ｅ11は、水素原子、又は基−Ｚ1−ＣＯＯ−Ｚ2を表し、
Ｚ1は、炭素原子数２ないし６のアルキレン基を表し、及び
Ｚ2は、炭素原子数１０ないし１６のアルキル基を表し、
Ｅ14は、水素原子を表し、及び
Ｅ15は、炭素原子数２ないし６のアルキレン基、又は炭素原子数３ないし５のアルキリデン基を表し、
Ｅ17は、炭素原子数１０ないし１４のアルキル基を表し、
Ｅ24は、炭素原子数１ないし４のアルコキシ基を表し、
ｍ2は、１、２又は３を表し、
ｍ2が１の場合、Ｅ26は、基
【化１５０】
0005204363.tif 000052
を表し、
ｍ2が２の場合、Ｅ26は、炭素原子数２ないし６のアルキレン基を表し、
ｍ2が３の場合、Ｅ26は、式（ｂ−ＩＶ）の基を表し、
基Ｅ27は、互いに独立して、炭素原子数２ないし６のアルキレン基を表し、及び、
基Ｅ28は、互いに独立して、炭素原子数１ないし４のアルキル基、又は炭素原子数５ないし８のシクロアルキル基を表し、及び
Ｅ30は、炭素原子数２ないし８のアルキレン基を表す。【００６８】他の好ましい態様に従って、
Ｒ1及びＲ3は、互いに独立して、式（ｃ−Ｉ）の基を表し、
Ｒ2は、炭素原子数２ないし８のアルキレン基を表し、
Ｒ4及びＲ5は、互いに独立して、水素原子、炭素原子数１ないし１２のアルキル基、炭素原子数５ないし８のシクロアルキル基、又は式（ｃ−Ｉ）の基を表すか、又は基Ｒ4及びＲ5が、それらが結合する窒素原子と一緒になって、５−ないし１０−員複素環式環を形成し、及び
ｂ1は、２ないし２５の数を表し、
Ｒ7及びＲ11は、互いに独立して、水素原子、又は炭素原子１ないし４のアルキル基を表し、
Ｒ8、Ｒ9及びＲ10は、互いに独立して、炭素原子数２ないし４のアルキレン基を表し、及び
Ｘ1、Ｘ2、Ｘ3、Ｘ4、Ｘ5、Ｘ6、Ｘ7、及びＸ8は、互いに独立して、式（ｃ−ＩＩ）の基を表し、
Ｒ12は、水素原子、炭素原子数１ないし４のアルキル基、炭素原子数５ないし８のシクロアルキル基、又は、式（ｃ−Ｉ）の基を表し、
Ｒ14は、炭素原子数１ないし４のアルキル基を表し、
Ｒ15は、炭素原子数３ないし６のアルキレン基を表し、及び
ｂ2は、２ないし２５の数を表し、
Ｒ17及びＲ21は、互いに独立して、直接結合、又は基−Ｎ（Ｘ9）−ＣＯ−Ｘ10−ＣＯ−Ｎ（Ｘ11）−を表し、
Ｘ9及びＸ11は、互いに独立して、水素原子、又は炭素原子数１ないし４のアルキル基を表し、
Ｘ10は、直接結合を表し、
Ｒ19及びＲ23は、炭素原子数１ないし２５のアルキル基又はフェニル基を表し、
Ｒ20及びＲ24は、水素原子、又は炭素原子数１ないし４のアルキル基を表し、
Ｒ22は、炭素原子数１ないし２５のアルキル基、又は式（ｃ−１）の基を表し、及び
ｂ3は、１ないし２５の数を表し、
Ｒ25、Ｒ26、Ｒ27、Ｒ28及びＲ29は、互いに独立して、直接結合、又は炭素原子数１ないし４のアルキレン基を表し及び、
ｂ4は、１ないし２５の数を表し、
ｂ´5、ｂ´´5及びｂ´´´5は、互いに独立して２ないし４の数を表し、及び
Ｒ31は、水素原子、炭素原子数１ないし４のアルキル基、炭素原子数５ないし８のシクロアルキル基、フェニル基、又はベンジル基を表す。【００６９】  本発明の特に好ましい態様は、成分（Ａ）が式（Ａ−１−ａ）、（Ａ−２−ａ）、（Ａ−２−ｂ）、（Ａ−３−ａ）又は（Ａ−４−ａ）：
【化１５１】
0005204363.tif 000053
（式中、ｎ1は、２ないし２０の数を表す。）；
【化１５２】
0005204363.tif 000054
（式中、ｎ2及びｎ2＊は、２ないし２０の数を表す。）；
【化１５３】
0005204363.tif 000055
（式中、変数ｎ3は、互いに独立して、１ないし２０の数を表す。）；
【化１５４】
0005204363.tif 000056
〔式中、ｎ4は、２ないし２０の数を表し、基Ａ7の少なくとも５０％が、式（ａ−１）
【化１５５】
0005204363.tif 000057
（式中、Ａ8は、水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基又は炭素原子数１ないし８のアシル基を表す。）の基を表し、
及び、残りの基Ａ7が、エチル基を表す。〕；
で表される化合物であり；
成分（Ｂ）が式（Ｂ−１−ａ）、（Ｂ−１−ｂ）、（Ｂ−１−ｃ）、（Ｂ−１−ｄ）、（Ｂ−２−ａ）、（Ｂ−３−ａ）、（Ｂ−３−ｂ）、（Ｂ−４−ａ）、（Ｂ−４−ｂ）、（Ｂ−５）、（Ｂ−６−ａ）、（Ｂ−７）、（Ｂ−８−ａ）、（Ｂ−９−ａ）、（Ｂ−９−ｂ）、（Ｂ−９−ｃ）又は（Ｂ−１０−ａ）：
【化１５６】
0005204363.tif 000058
（上記各式中、Ｅ1は、水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表す。）；
【化１５７】
0005204363.tif 000059
（式中、基Ｅ7の２つは、−ＣＯＯ−Ｃ13Ｈ27を表し、及び
基Ｅ7の２つは、
【化１５８】
0005204363.tif 000060
を表し、及びＥ8は、前記Ｅ1の意味の１つを有する。）；
【化１５９】
0005204363.tif 000061
（上記各式中、Ｅ12は、前記Ｅ1の意味の１つを有する。）；
【化１６０】
0005204363.tif 000062
（上記各式中、Ｅ13は、前記Ｅ1の意味の１つを有する。）；
【化１６１】
0005204363.tif 000063
（式中、Ｅ16は、前記Ｅ1の意味の１つを有する。）；
【化１６２】
0005204363.tif 000064
（式中、Ｅ18は、前記Ｅ1の意味の１つを有する。）；
【化１６３】
0005204363.tif 000065
〔式中、Ｅ19、Ｅ20及びＥ21は、互いに独立して、式（ｂ−ＩＩＩ）
【化１６４】
0005204363.tif 000066
（式中、Ｅ22は、前記Ｅ1の意味の１つを有する。）の基を表す。〕；
【化１６５】
0005204363.tif 000067
（式中、Ｅ23は、前記Ｅ1の意味の１つを有する。）；
【化１６６】
0005204363.tif 000068
（上記各式中、Ｅ25は、前記Ｅ1の意味の１つを有する。）；
【化１６７】
0005204363.tif 000069
（式中、Ｅ29は、前記Ｅ1の意味の１つを有する。）；
で表される化合物であり；
成分（Ｃ）が式（Ｃ−１−ａ）、（Ｃ−１−ｂ）、（Ｃ−１−ｃ）、（Ｃ−１−ｄ）、（Ｃ−２−ａ）、（Ｃ−３−ａ）、（Ｃ−４−ａ）、（Ｃ−４−ｂ）、（Ｃ−４−ｃ）又は（Ｃ−５−ａ）：
【化１６８】
0005204363.tif 000070
（上記各式中、ｂ1は、２ないし２０の数を表し、及びＲ6は、水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基を表す。）；
【化１６９】
0005204363.tif 000071
（式中、Ｒ13は前記Ｒ6の意味の１つを有する。）；
【化１７０】
0005204363.tif 000072
（式中、ｂ2は、２ないし２０の数を表し、及びＲ16は、前記Ｒ6の意味の１つを有する。）；
【化１７１】
0005204363.tif 000073
（上記各式中、ｂ3は、１ないし２０の数を表し、及びＲ18は、前記Ｒ6の意味の１つを有する。）；又は
【化１７２】
0005204363.tif 000074
（式中、ｂ4は、１ないし２０の数を表し、及びＲ30は、前記Ｒ6の意味の１つを有する。）；で表される化合物；又は
塩化シアヌルと式（Ｃ−６−１−ａ）
【化１７３】
0005204363.tif 000075
で表されるポリアミンの反応によって得られる生成物を式（Ｃ−６−２−ａ）
【化１７４】
0005204363.tif 000076
（式中、Ｒ32は、前記Ｒ6の意味の１つを有する。）
で表される化合物と反応させることによって得られ得る生成物（Ｃ−６−ａ）である安定剤混合物に関する。【００７０】  本発明の特に好ましい態様は又、成分（Ａ）は、ｎ1が２ないし２０の数を表すところの式（Ａ−１−ａ）の化合物、又はｎ2及びｎ2＊が２ないし２０の数を表すところの式（Ａ−２−ａ）又は（Ａ−２−ｂ）の化合物であり、成分（Ｂ）は、Ｅ1が水素原子を表すところの式（Ｂ−１−ｂ）の化合物であり、及び成分（Ｃ）は、ｂ1が２ないし２０の数を表し、及びＲ6が水素原子を表すところの式（Ｃ−１−ａ）の化合物、又はＲ6が水素原子又はプロポキシ基を表し、及びｂ1が２ないし２０の数を表すところの式（Ｃ−１−ｂ）の化合物、又は、Ｒ6が水素原子又はメチル基を表し、及びｂ1が２ないし２０の数を表すところの式（Ｃ−１−ｄ）の化合物、又はＲ13がメチル基を表すところの式（Ｃ−２−ａ）の化合物、又はＲ16が水素原子を表し、及びｂ2が２ないし２０の数を表すところの式（Ｃ−３−ａ）の化合物、又は、Ｒ18が水素原子を表し、及びｂ3が１ないし２０の数を表すところの式（Ｃ−４−ａ）の化合物、又は生成物（Ｃ−６−ａ）である安定剤混合物に関する。【００７１】  本発明のされなる特に好ましい態様は、成分（Ａ）は、ｎ1が２ないし２０の数を表すところの式（Ａ−１−ａ）の化合物、又はｎ2及びｎ2＊が２ないし２０の数を表すところの式（Ａ−２−ａ）又は（Ａ−２−ｂ）の化合物を表し、成分（Ｂ）は、Ｅ1が水素原子を表すところの式（Ｂ−１−ｂ）の化合物を表し、及び成分（Ｃ）は、ｂ1が２ないし２０の数を表し、及びＲ6が水素原子を表すところの式（Ｃ−１−ａ）の化合物である安定剤混合物に関する。【００７２】  本発明に従った安定剤混合物の実施例は、以下の市販品の組合わせである。：
１．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  チヌビン  ７７０（登録商標：ＴＩＮＵＶＩＮ  ７７０）
２．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  チヌビン  ７６５（登録商標：ＴＩＮＵＶＩＮ  ７６５）
３．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  チヌビン  １４４（登録商標：ＴＩＮＵＶＩＮ  １４４）
４．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  チヌビン  １２３（登録商標：ＴＩＮＵＶＩＮ  １２３）
５．チヌビン  ６２２（登録商標：ＴＩＮＵＶＩＮ  ６２２）＋  チマソルブ  ９４４（登録商標：ＣＨＩＭＡＳＳＯＲＢ  ９４４）＋式（Ｂ−３−ａ）の化合物（式中、Ｅ１２は水素原子を表す。）
６．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  ホスタビン  Ｎ  ２４（登録商標：ＨＯＳＴＡＶＩＮ  Ｎ  ２４）
７．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  ジアセタム  ５（登録商標：ＤＩＡＣＥＴＡＭ  ５）
８．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  ＡＤＫ  スタブ  ＬＡ５２（登録商標：ＡＤＫ  ＳＴＡＢ  ＬＡ  ５２）
９．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  ＡＤＫ  スタブ  ＬＡ５７（登録商標：ＡＤＫ  ＳＴＡＢ  ＬＡ  ５７）
１０．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  ＡＤＫ  スタブ  ＬＡ  ６２（登録商標：ＡＤＫ  ＳＴＡＢ  ＬＡ  ６２）
１１．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  ＡＤＫ  スタブ  ＬＡ  ６７（登録商標：ＡＤＫ  ＳＴＡＢ  ＬＡ  ６７）
１２．チヌビン  ６２２（登録商標：ＴＩＮＵＶＩＮ  ６２２）＋  チマソルブ  ９４４（登録商標：ＣＨＩＭＡＳＳＯＲＢ  ９４４）＋グッドライト  ＵＶ  ３０３４（登録商標：ＧＯＯＤＲＩＴＥ  ＵＶ  ３０３４）
１３．チヌビン  ６２２（登録商標：ＴＩＮＵＶＩＮ  ６２２）＋  チマソルブ  ９４４（登録商標：ＣＨＩＭＡＳＳＯＲＢ  ９４４）＋グッドライト  ＵＶ  ３１５０（登録商標：ＧＯＯＤＲＩＴＥ  ＵＶ  ３１５０）
１４．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  グッドライト  ＵＶ  ３１５９（登録商標：ＧＯＯＤＲＩＴＥ  ＵＶ  ３１５９）
１５．チヌビン  ６２２（登録商標：ＴＩＮＵＶＩＮ  ６２２）＋  チマソルブ  ９４４（登録商標：ＣＨＩＭＡＳＳＯＲＢ  ９４４）＋（Ｂ−９−ａ）の化合物（式中、Ｅ25は、水素原子を表す。）
１６．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  ユビヌル  ４０４９（登録商標：ＵＶＩＮＵＬ  ４０４９）
１７．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  式（Ｂ−１０−ａ）の化合物（式中、Ｅ29は、水素原子を表す。）
１８．チヌビン  ６２２（登録商標：ＴＩＮＵＶＩＮ  ６２２）＋  チマソルブ  ９４４（登録商標：ＣＨＩＭＡＳＳＯＲＢ  ９４４）＋式（Ｂ−１−ａ）の化合物（式中、Ｅ1は、水素原子を表す。）
１９．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  スミソルブ  ＴＭ  ６１（登録商標：ＳＵＭＩＳＯＲＢ  ＴＭ  ６１）
２０．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  サンデュボア  ３０５０（登録商標：ＳＡＮＤＵＶＯＲ  ３０５０）
２１．チヌビン  ６２２（登録商標：ＴＩＮＵＶＩＮ  ６２２）＋  チマソルブ  ９４４（登録商標：ＣＨＩＭＡＳＳＯＲＢ  ９４４）＋  サンデュボア  ＰＲ  ３１（登録商標：ＳＡＮＤＵＶＯＲ  ＰＲ  ３１）
２２．チヌビン  ６２２（登録商標：ＴＩＮＵＶＩＮ  ６２２）＋  チマソルブ  １１９（登録商標：ＣＨＩＭＡＳＳＯＲＢ  １１９）＋  チヌビン  ７７０（登録商標：ＴＩＮＵＶＩＮ  ７７０）
２３．チヌビン  ６２２（登録商標：ＴＩＮＵＶＩＮ  ６２２）＋  チマソルブ  １１９（登録商標：ＣＨＩＭＡＳＳＯＲＢ  １１９）＋  チヌビン  ７６５（登録商標：ＴＩＮＵＶＩＮ  ７６５）
２４．チヌビン  ６２２（登録商標：ＴＩＮＵＶＩＮ  ６２２）＋  チマソルブ  １１９（登録商標：ＣＨＩＭＡＳＳＯＲＢ  １１９）＋  チヌビン  １４４（登録商標：ＴＩＮＵＶＩＮ  １４４）
２５．チヌビン６２２（登録商標：ＴＩＮＵＶＩＮ  ６２２）＋  チマソルブ  １１９（登録商標：ＣＨＩＭＡＳＳＯＲＢ  １１９）＋  チヌビン  １２３（登録商標：ＴＩＮＵＶＩＮ  １２３）
２６．チヌビン  ６２２（登録商標：ＴＩＮＵＶＩＮ  ６２２）＋  チマソルブ  １１９（登録商標：ＣＨＩＭＡＳＳＯＲＢ  １１９）＋  式（Ｂ−３−ａ）の化合物（式中、Ｅ１２は，水素原子を表す。）
２７．チヌビン  ６２２（登録商標：ＴＩＮＵＶＩＮ  ６２２）＋  チマソルブ  １１９（登録商標：ＣＨＩＭＡＳＳＯＲＢ  １１９）＋  ホスタビン  Ｎ  ２４（登録商標：ＨＯＳＴＡＶＩＮ Ｎ ２４）
２８．チヌビン  ６２２（登録商標：ＴＩＮＵＶＩＮ  ６２２）＋  チマソルブ１１９（登録商標：ＣＨＩＭＡＳＳＯＲＢ  １１９）＋  ジアセタム  ５（登録商標：ＤＩＡＣＥＴＡＭ  ５）
２９．チヌビン  ６２２（登録商標：ＴＩＮＵＶＩＮ  ６２２）＋  チマソルブ  １１９（登録商標：ＣＨＩＭＡＳＳＯＲＢ  １１９）＋  ＡＤＫ  スタブ  ＬＡ  ５２（登録商標：ＡＤＫ  ＳＴＡＢ  ＬＡ  ５２）
３０．チヌビン  ６２２（登録商標：ＴＩＮＵＶＩＮ  ６２２）＋  チマソルブ  １１９（登録商標：ＣＨＩＭＡＳＳＯＲＢ  １１９）＋  ＡＤＫ  スタブ  ＬＡ  ５７（登録商標：ＡＤＫ  ＳＴＡＢ  ＬＡ  ５７）
３１．チヌビン  ６２２（登録商標：ＴＩＮＵＶＩＮ  ６２２）＋  チマソルブ  １１９（登録商標：ＣＨＩＭＡＳＳＯＲＢ  １１９）＋  ＡＤＫ  スタブ  ＬＡ  ６２（登録商標：ＡＤＫ  ＳＴＡＢ  ＬＡ  ６２）
３２．チヌビン  ６２２（登録商標：ＴＩＮＵＶＩＮ  ６２２）＋  チマソルブ  １１９（登録商標：ＣＨＩＭＡＳＳＯＲＢ  １１９）＋  ＡＤＫ  スタブ  ＬＡ  ６７（登録商標：ＡＤＫ  ＳＴＡＢ  ＬＡ  ６７）
３３．チヌビン  ６２２（登録商標：ＴＩＮＵＶＩＮ  ６２２）＋  チマソルブ  １１９（登録商標：ＣＨＩＭＡＳＳＯＲＢ  １１９）＋  グッドライト  ＵＶ  ３０３４（登録商標：ＧＯＯＤＲＩＴＥ  ＵＶ  ３０３４）
３４．チヌビン６２２（登録商標：ＴＩＮＵＶＩＮ  ６２２）＋  チマソルブ  １１９（登録商標：ＣＨＩＭＡＳＳＯＲＢ  １１９）＋  グッドライト  ＵＶ  ３１５０（登録商標：ＧＯＯＤＲＩＴＥ  ＵＶ  ３１５０）
３５．チヌビン  ６２２（登録商標：ＴＩＮＵＶＩＮ  ６２２）＋  チマソルブ  １１９（登録商標：ＣＨＩＭＡＳＳＯＲＢ  １１９）＋  グッドライト  ＵＶ  ３１５９（登録商標：ＧＯＯＤＲＩＴＥ  ＵＶ  ３１５９）
３６．チヌビン  ６２２（登録商標：ＴＩＮＵＶＩＮ  ６２２）＋  チマソルブ  １１９（登録商標：ＣＨＩＭＡＳＳＯＲＢ  １１９）＋式（Ｂ−９−ａ）の化合物（式中、Ｅ25は水素原子を表す。）
３７．チヌビン  ６２２（登録商標：ＴＩＮＵＶＩＮ  ６２２）＋  チマソルブ  １１９（登録商標：ＣＨＩＭＡＳＳＯＲＢ  １１９）＋  ユビヌル  ４０４９（登録商標：ＵＶＩＮＵＬ  ４０４９）
３８．チヌビン  ６２２（登録商標：ＴＩＮＵＶＩＮ  ６２２）＋  チマソルブ  １１９（登録商標：ＣＨＩＭＡＳＳＯＲＢ  １１９）＋  式（Ｂ−１０−ａ）の化合物（式中、Ｅ29は水素原子を表す。）
３９．チヌビン  ６２２（登録商標：ＴＩＮＵＶＩＮ  ６２２）＋  チマソルブ  １１９（登録商標：ＣＨＩＭＡＳＳＯＲＢ  １１９）＋  式（Ｂ−１−ａ）の化合物（式中、Ｅ1は水素原子を表す。）
４０．チヌビン  ６２２（登録商標：ＴＩＮＵＶＩＮ  ６２２）＋  チマソルブ  １１９（登録商標：ＣＨＩＭＡＳＳＯＲＢ  １１９）＋  スミソルブ  ＴＭ  ６１（登録商標：ＳＵＭＩＳＯＲＢ  ＴＭ  ６１）
４１．チヌビン  ６２２（登録商標：ＴＩＮＵＶＩＮ  ６２２）＋  チマソルブ  １１９（登録商標：ＣＨＩＭＡＳＳＯＲＢ  １１９）＋  サンデュボア  ３０５０（登録商標：ＳＡＮＤＵＶＯＲ  ３０５０）
４２．チヌビン  ６２２（登録商標：ＴＩＮＵＶＩＮ  ６２２）＋  チマソルブ  １１９（登録商標：ＣＨＩＭＡＳＳＯＲＢ  １１９）＋  サンデュボア  ＰＲ  ３１（登録商標：ＳＡＮＤＵＶＯＲ  ＰＲ  ３１）
４３．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  チヌビン  ７７０（登録商標：ＴＩＮＵＶＩＮ  ７７０）
４４．チヌビン  ６２２（登録商標：ＴＩＮＵＶＩＮ  ６２２）＋  チマソルブ２０２０（登録商標：ＣＨＩＭＡＳＳＯＲＢ  ２０２０）＋  チヌビン  ７６５（登録商標：ＴＩＮＵＶＩＮ  ７６５）
４５．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  チヌビン  １４４（登録商標：ＴＩＮＵＶＩＮ  １４４）
４６．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  チヌビン  １２３（登録商標：ＴＩＮＵＶＩＮ  １２３）
４７．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  式（Ｂ−３−ａ）の化合物（式中、Ｅ12は、水素原子を表す。）
４８．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  ホスタビン  Ｎ  ２４（登録商標：ＨＯＳＴＡＶＩＮ  Ｎ  ２４）
４９．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  ジアセタム  ５（登録商標：ＤＩＡＣＥＴＡＭ  ５）
５０．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  ＡＤＫ  スタブ  ＬＡ  ５２（登録商標：ＡＤＫ  ＳＴＡＢ  ＬＡ  ５２）
５１．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋ＡＤＫ  スタブ  ＬＡ  ５７（登録商標：ＡＤＫ  ＳＴＡＢ  ＬＡ  ５７）
５２．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  ＡＤＫ  スタブ  ＬＡ  ６２（登録商標：ＡＤＫ  ＳＴＡＢ  ＬＡ  ６２）
５３．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  ＡＤＫ  スタブ  ＬＡ  ６７（登録商標：ＡＤＫ  ＳＴＡＢ  ＬＡ  ６７）
５４．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  グッドライト  ＵＶ  ３０３４（登録商標：ＧＯＯＤＲＩＴＥ  ＵＶ  ３０３４）
５５．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  グッドライト  ＵＶ  ３１５０（登録商標：ＧＯＯＤＲＩＴＥ  ＵＶ  ３１５０）
５６．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  グッドライト  ＵＶ  ３１５９（登録商標：ＧＯＯＤＲＩＴＥ  ＵＶ  ３１５９）
５７．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  式（Ｂ−９−ａ）の化合物（式中、Ｅ25は水素原子を表す。）
５８．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  ユビヌル  ４０４９（登録商標：ＵＶＩＮＵＬ  ４０４９）
５９．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋式（Ｂ−１０−ａ）の化合物（式中、Ｅ29は、水素原子を表す。）
６０．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  式（Ｂ−１−ａ）の化合物（式中、Ｅ1は、水素原子を表す。）
６１．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  スミソルブ  ＴＭ  ６１（登録商標：ＳＵＭＩＳＯＲＢ  ＴＭ  ６１）
６２．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  サンデュボア  ３０５０（登録商標；ＳＡＮＤＵＶＯＲ  ３０５０）
６３．チヌビン  ６２２（登録商標：ＴＩＮＵＶＩＮ  ６２２）＋  チマソルブ  ２０２０（登録商標：ＣＨＩＭＡＳＳＯＲＢ  ２０２０）＋  サンデュボア  ＰＲ  ３１（登録商標：ＳＡＮＤＵＶＯＲ  ＰＲ  ３１）
６４．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  チヌビン  ７７０（登録商標：ＴＩＮＵＶＩＮ  ７７０）
６５．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  チヌビン  ７６５（登録商標：ＴＩＮＵＶＩＮ  ７６５）
６６．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  チヌビン  １４４（登録商標：ＴＩＮＵＶＩＮ  １４４）
６７．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  チヌビン  １２３（登録商標：ＴＩＮＵＶＩＮ  １２３）
６８．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  式（Ｂ−３−ａ）の化合物（式中、Ｅ12は，水素原子を表す。）
６９．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  ホスタビン  Ｎ  ２４（登録商標：ＨＯＳＴＡＶＩＮ  Ｎ  ２４）
７０．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  ジアセタム  ５（登録商標：ＤＩＡＣＥＴＡＭ  ５）
７１．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  ＡＤＫ  スタブ  ＬＡ  ５２（登録商標：ＡＤＫ  ＳＴＡＢ  ＬＡ  ５２）
７２．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  ＡＤＫ  スタブ  ＬＡ  ５７（登録商標：ＡＤＫ  ＳＴＡＢ  ＬＡ  ５７）
７３．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  ＡＤＫ  スタブ  ＬＡ  ６２（登録商標：ＡＤＫ  ＳＴＡＢ  ＬＡ  ６２）
７４．チヌビン６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  ＡＤＫ  スタブ  ＬＡ  ６７（登録商標：ＡＤＫ  ＳＴＡＢ  ＬＡ  ６７）
７５．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  グッドライト  ＵＶ  ３０３４（登録商標：ＧＯＯＤＲＩＴＥ  ＵＶ  ３０３４）
７６．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  グッドライト  ＵＶ  ３１５０（登録商標：ＧＯＯＤＲＩＴＥ  ＵＶ  ３１５０）
７７．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  グッドライト  ＵＶ  ３１５９（登録商標：ＧＯＯＤＲＩＴＥ  ＵＶ  ３１５９）
７８．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋式（Ｂ−９−ａ）の化合物（式中、Ｅ25は水素原子を表す。）
７９．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  ユビヌル  ４０４９（登録商標：ＵＶＩＮＵＬ  ４０４９）
８０．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  式（Ｂ−１０−ａ）の化合物（式中、Ｅ29は、水素原子を表す。）
８１．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  式（Ｂ−１−ａ）の化合物（式中、Ｅ1は、水素原子を表す。）
８２．チヌビン６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  スミソルブ  ＴＭ  ６１（登録商標：ＳＵＭＩＳＯＲＢ  ＴＭ  ６１）
８３．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  サンデュボア  ３０５０（登録商標：ＳＡＮＤＵＶＯＲ  ３０５０）
８４．チヌビン  ６２２（登録商標：ＴＩＮＵＶＩＮ  ６２２）＋  シアソルブ  ＵＶ  ３３４６（登録商標：ＣＹＡＳＯＲＢ  ＵＶ  ３３４６）＋  サンデュボア  ＰＲ  ３１（登録商標：ＳＡＮＤＵＶＯＲ  ＰＲ  ３１）
８５．チヌビン  ６２２（登録商標：ＴＩＮＵＶＩＮ  ６２２）＋  ユバシル  ２９９（登録商標：ＵＶＡＳＩＬ  ２９９）＋  チヌビン  ７７０（登録商標：ＴＩＮＵＶＩＮ  ７７０）
８６．チヌビン  ６２２（登録商標：ＴＩＮＵＶＩＮ  ６２２）＋  ユバシル  ２９９（登録商標：ＵＶＡＳＩＬ  ２９９）＋  チヌビン  ７６５（登録商標：ＴＩＮＵＶＩＮ  ７６５）
８７．チヌビン  ６２２（登録商標：ＴＩＮＵＶＩＮ  ６２２）＋  ユバシル  ２９９（登録商標：ＵＶＡＳＩＬ  ２９９）＋  チヌビン  １４４（登録商標：ＴＩＮＵＶＩＮ  １４４）
８８．チヌビン  ６２２（登録商標：ＴＩＮＵＶＩＮ  ６２２）＋  ユバシル  ２９９（登録商標：ＵＶＡＳＩＬ  ２９９）＋  チヌビン  １２３（登録商標：ＴＩＮＵＶＩＮ  １２３）
８９．チヌビン  ６２２（登録商標：ＴＩＮＵＶＩＮ  ６２２）＋  ユバシル  ２９９（登録商標：ＵＶＡＳＩＬ  ２９９）＋  式（Ｂ−３−ａ）の化合物（式中、Ｅ１２は，水素原子を表す。）
９０．チヌビン  ６２２（登録商標：ＴＩＮＵＶＩＮ  ６２２）＋  ユバシル  ２９９（登録商標：ＵＶＡＳＩＬ  ２９９）＋  ホスタビン  Ｎ  ２４（登録商標：ＨＯＳＴＡＶＩＮ  Ｎ  ２４）
９１．チヌビン  ６２２（登録商標：ＴＩＮＵＶＩＮ  ６２２）＋  ユバシル  ２９９（登録商標：ＵＶＡＳＩＬ  ２９９）＋  ジアセタム  ５（登録商標：ＤＩＡＣＥＴＡＭ  ５）
９２．チヌビン  ６２２（登録商標：ＴＩＮＵＶＩＮ  ６２２）＋  ユバシル  ２９９（登録商標：ＵＶＡＳＩＬ  ２９９）＋  ＡＤＫ  スタブ  ＬＡ  ５２（登録商標：ＡＤＫ  ＳＴＡＢ  ＬＡ  ５２）
９３．チヌビン  ６２２（登録商標：ＴＩＮＵＶＩＮ  ６２２）＋  ユバシル  ２９９（登録商標：ＵＶＡＳＩＬ  ２９９）＋  ＡＤＫ  スタブ  ＬＡ  ５７（登録商標：ＡＤＫ  ＳＴＡＢ  ＬＡ  ５７）
９４．チヌビン  ６２２（登録商標：ＴＩＮＵＶＩＮ  ６２２）＋  ユバシル  ２９９（登録商標：ＵＶＡＳＩＬ  ２９９）＋  ＡＤＫ  スタブ  ＬＡ  ６２（登録商標：ＡＤＫ  ＳＴＡＢ  ＬＡ  ６２）
９５．チヌビン  ６２２（登録商標：ＴＩＮＵＶＩＮ  ６２２）＋  ユバシル  ２９９（登録商標：ＵＶＡＳＩＬ  ２９９）＋  ＡＤＫ  スタブ  ＬＡ  ６７（登録商標：ＡＤＫ  ＳＴＡＢ  ＬＡ  ６７）
９６．チヌビン  ６２２（登録商標：ＴＩＮＵＶＩＮ  ６２２）＋  ユバシル  ２９９（登録商標：ＵＶＡＳＩＬ  ２９９）＋  グッドライト  ＵＶ  ３０３４（登録商標：ＧＯＯＤＲＩＴＥ  ＵＶ  ３０３４）
９７．チヌビン  ６２２（登録商標：ＴＩＮＵＶＩＮ  ６２２）＋  ユバシル  ２９９（登録商標：ＵＶＡＳＩＬ  ２９９）＋  グッドライト  ＵＶ  ３１５０（登録商標：ＧＯＯＤＲＩＴＥ  ＵＶ  ３１５０）
９８．チヌビン  ６２２（登録商標：ＴＩＮＵＶＩＮ  ６２２）＋  ユバシル  ２９９（登録商標：ＵＶＡＳＩＬ  ２９９）＋  グッドライト  ＵＶ  ３１５９（登録商標：ＧＯＯＤＲＩＴＥ  ＵＶ  ３１５９）
９９．チヌビン  ６２２（登録商標：ＴＩＮＵＶＩＮ  ６２２）＋  ユバシル  ２９９（登録商標：ＵＶＡＳＩＬ  ２９９）＋  式（Ｂ−９−ａ）の化合物（式中、Ｅ25は水素原子を表す。）
１００．チヌビン  ６２２（登録商標：ＴＩＮＵＶＩＮ  ６２２）＋  ユバシル  ２９９（登録商標：ＵＶＡＳＩＬ  ２９９）＋  ユビヌル  ４０４９（登録商標：ＵＶＩＮＵＬ  ４０４９）
１０１．チヌビン  ６２２（登録商標：ＴＩＮＵＶＩＮ  ６２２）＋  ユバシル  ２９９（登録商標：ＵＶＡＳＩＬ  ２９９）＋  式（Ｂ−１０−ａ）の化合物（式中、Ｅ29は、水素原子を表す。）
１０２．チヌビン  ６２２（登録商標：ＴＩＮＵＶＩＮ  ６２２）＋  ユバシル  ２９９（登録商標：ＵＶＡＳＩＬ  ２９９）＋  式（Ｂ−１−ａ）の化合物（式中、Ｅ1は、水素原子を表す。）
１０３．チヌビン  ６２２（登録商標：ＴＩＮＵＶＩＮ  ６２２）＋  ユバシル  ２９９（登録商標：ＵＶＡＳＩＬ  ２９９）＋  スミソルブ  ＴＭ  ６１（登録商標：ＳＵＭＩＳＯＲＢ  ＴＭ  ６１）
１０４．チヌビン  ６２２（登録商標：ＴＩＮＵＶＩＮ  ６２２）＋  ユバシル  ２９９（登録商標：ＵＶＡＳＩＬ  ２９９）＋  サンデュボア  ３０５０（登録商標：ＳＡＮＤＵＶＯＲ  ３０５０）
１０５．チヌビン  ６２２（登録商標：ＴＩＮＵＶＩＮ  ６２２）＋  ユバシル  ２９９（登録商標：ＵＶＡＳＩＬ  ２９９）＋  サンデュボア  ＰＲ  ３１（登録商標：ＳＡＮＤＵＶＯＲ  ＰＲ  ３１）
１０６．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  チヌビン  ７７０（登録商標：ＴＩＮＵＶＩＮ  ７７０）
１０７．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  チヌビン  ７６５（登録商標：ＴＩＮＵＶＩＮ  ７６５）
１０８．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  チヌビン  １４４（登録商標：ＴＩＮＵＶＩＮ  １４４）
１０９．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  チヌビン  １２３（登録商標：ＴＩＮＵＶＩＮ  １２３）
１１０．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  式（Ｂ−３−ａ）の化合物（式中、Ｅ12は，水素原子を表す。）
１１１．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  ホスタビン  Ｎ  ２４（登録商標：ＨＯＳＴＡＶＩＮ  Ｎ  ２４）
１１２．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  ジアセタム  ５（登録商標：ＤＩＡＣＥＴＡＭ  ５）
１１３．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  ＡＤＫ  スタブ  ＬＡ  ５２（登録商標：ＡＤＫ  ＳＴＡＢ  ＬＡ  ５２）
１１４．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  ＡＤＫ  スタブ  ＬＡ  ５７（登録商標：ＡＤＫ  ＳＴＡＢ  ＬＡ  ５７）
１１５．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋ＡＤＫ  スタブ  ＬＡ  ６２（登録商標：ＡＤＫ  ＳＴＡＢ  ＬＡ  ６２）
１１６．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  ＡＤＫ  スタブ  ＬＡ  ６７（登録商標：ＡＤＫ  ＳＴＡＢ  ＬＡ  ６７）
１１７．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  グッドライト  ＵＶ  ３０３４（登録商標：ＧＯＯＤＲＩＴＥ  ＵＶ  ３０３４）
１１８．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  グッドライト  ＵＶ  ３１５０（登録商標：ＧＯＯＤＲＩＴＥ  ＵＶ  ３１５０）
１１９．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  グッドライト  ＵＶ  ３１５９（登録商標：ＧＯＯＤＲＩＴＥ  ＵＶ  ３１５９）
１２０．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  式（Ｂ−９−ａ）の化合物（式中、Ｅ25は水素原子を表す。）
１２１．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  ユビヌル  ４０４９（登録商標：ＵＶＩＮＵＬ  ４０４９）
１２２．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  式（Ｂ−１０−ａ）の化合物（式中、Ｅ29は、水素原子を表す。）
１２３．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  式（Ｂ−１−ａ）の化合物（式中、Ｅ1は、水素原子を表す。）
１２４．チヌビン ６２２（登録商標：ＴＩＮＵＶＩＮ ６２２）＋ ユバソルブ ＨＡ ８８（登録商標：ＵＶＡＳＯＲＢ ＨＡ ８８）＋ スミソルブ ＴＭ ６１（登録商標：ＳＵＭＩＳＯＲＢ ＴＭ ６１）
１２５．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  サンデュボア  ３０５０（登録商標：ＳＡＮＤＵＶＯＲ  ３０５０）
１２６．チヌビン  ６２２（登録商標：ＴＩＮＵＶＩＮ  ６２２）＋  ユバソルブ  ＨＡ  ８８（登録商標：ＵＶＡＳＯＲＢ  ＨＡ  ８８）＋  サンデュボア  ＰＲ  ３１（登録商標：ＳＡＮＤＵＶＯＲ  ＰＲ  ３１）
１２７．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  チヌビン  ７７０（登録商標：ＴＩＮＵＶＩＮ  ７７０）
１２８．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  チヌビン  ７６５（登録商標：ＴＩＮＵＶＩＮ  ７６５）
１２９．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  チヌビン  １４４（登録商標：ＴＩＮＵＶＩＮ  １４４）
１３０．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  チヌビン  １２３（登録商標：ＴＩＮＵＶＩＮ  １２３）
１３１．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  式（Ｂ−３−ａ）の化合物（式中、Ｅ12は，水素原子を表す。）
１３２．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  ホスタビン  Ｎ  ２４（登録商標：ＨＯＳＴＡＶＩＮ  Ｎ  ２４）
１３３．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  ジアセタム  ５（登録商標：ＤＩＡＣＥＴＡＭ  ５）
１３４．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  ＡＤＫ  スタブ  ＬＡ  ５２（登録商標：ＡＤＫ  ＳＴＡＢ  ＬＡ  ５２）
１３５．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  ＡＤＫ  スタブ  ＬＡ  ５７（登録商標：ＡＤＫ  ＳＴＡＢ  ＬＡ  ５７）
１３６．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  ＡＤＫ  スタブ  ＬＡ  ６２（登録商標：ＡＤＫ  ＳＴＡＢ  ＬＡ  ６２）
１３７．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  ＡＤＫ  スタブ  ＬＡ  ６７（登録商標：ＡＤＫ  ＳＴＡＢ  ＬＡ  ６７）
１３８．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  グッドライト  ＵＶ  ３０３４（登録商標：ＧＯＯＤＲＩＴＥ  ＵＶ  ３０３４）
１３９．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  グッドライト  ＵＶ  ３１５０（登録商標：ＧＯＯＤＲＩＴＥ  ＵＶ  ３１５０）
１４０．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  グッドライト  ＵＶ  ３１５９（登録商標：ＧＯＯＤＲＩＴＥ  ＵＶ  ３１５９）
１４１．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  式（Ｂ−９−ａ）の化合物（式中、Ｅ25は水素原子を表す。）
１４２．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  ユビヌル  ４０４９（登録商標：ＵＶＩＮＵＬ  ４０４９）
１４３．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  式（Ｂ−１０−ａ）の化合物（式中、Ｅ29は、水素原子を表す。）
１４４．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  式（Ｂ−１−ａ）の化合物（式中、Ｅ1は、水素原子を表す。）
１４５．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  スミソルブ  ＴＭ  ６１（登録商標：ＳＵＭＩＳＯＲＢ  ＴＭ  ６１）
１４６．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  サンデュボア  ３０５０（登録商標：ＳＡＮＤＵＶＯＲ  ３０５０）
１４７．チヌビン  ６２２（登録商標：ＴＩＮＵＶＩＮ  ６２２）＋  ユビヌル  ５０５０  Ｈ（登録商標：ＵＶＩＮＵＬ  ５０５０  Ｈ）＋  サンデュボア  ＰＲ  ３１（登録商標：ＳＡＮＤＵＶＯＲ  ＰＲ  ３１）
１４８．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  チヌビン  ７７０（登録商標：ＴＩＮＵＶＩＮ  ７７０）
１４９．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  チヌビン  ７６５（登録商標：ＴＩＮＵＶＩＮ  ７６５）
１５０．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  チヌビン  １４４（登録商標：ＴＩＮＵＶＩＮ  １４４）
１５１．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  チヌビン  １２３（登録商標：ＴＩＮＵＶＩＮ  １２３）
１５２．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  式（Ｂ−３−ａ）の化合物（式中、Ｅ12は，水素原子を表す。）
１５３．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  ホスタビン  Ｎ  ２４（登録商標：ＨＯＳＴＡＶＩＮ  Ｎ  ２４）
１５４．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  ジアセタム  ５（登録商標：ＤＩＡＣＥＴＡＭ  ５）
１５５．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  ＡＤＫ  スタブ  ＬＡ  ５２（登録商標：ＡＤＫ  ＳＴＡＢ  ＬＡ  ５２）
１５６．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  ＡＤＫ  スタブ  ＬＡ  ５７（登録商標：ＡＤＫ  ＳＴＡＢ  ＬＡ  ５７）
１５７．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  ＡＤＫ  スタブ  ＬＡ  ６２（登録商標：ＡＤＫ  ＳＴＡＢ  ＬＡ  ６２）
１５８．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  ＡＤＫ  スタブ  ＬＡ  ６７（登録商標：ＡＤＫ  ＳＴＡＢ  ＬＡ  ６７）
１５９．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  グッドライト  ＵＶ  ３０３４（登録商標：ＧＯＯＤＲＩＴＥ  ＵＶ  ３０３４）
１６０．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  グッドライト  ＵＶ  ３１５０（登録商標：ＧＯＯＤＲＩＴＥ  ＵＶ  ３１５０）
１６１．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  グッドライト  ＵＶ  ３１５９（登録商標：ＧＯＯＤＲＩＴＥ  ＵＶ  ３１５９）
１６２．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  式（Ｂ−９−ａ）の化合物（式中、Ｅ25は水素原子を表す。）
１６３．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  ユビヌル  ４０４９（登録商標：ＵＶＩＮＵＬ  ４０４９）
１６４．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  式（Ｂ−１０−ａ）の化合物（式中、Ｅ29は、水素原子を表す。）
１６５．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  式（Ｂ−１−ａ）の化合物（式中、Ｅ1は、水素原子を表す。）
１６６．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  スミソルブ  ＴＭ  ６１（登録商標：ＳＵＭＩＳＯＲＢ  ＴＭ  ６１）
１６７．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ３１）＋  サンデュボア  ３０５０（登録商標：ＳＡＮＤＵＶＯＲ  ３０５０）
１６８．チヌビン  ６２２（登録商標：ＴＩＮＵＶＩＮ  ６２２）＋  リヒツフツシュトフ  ＵＶ  ３１（登録商標：ＬＩＣＨＴＳＣＨＵＴＺＳＴＯＦＦ  ＵＶ  ３１）＋  サンデュボア  ＰＲ  ３１（登録商標：ＳＡＮＤＵＶＯＲ  ＰＲ  ３１）
１６９．チヌビン  ６２２（登録商標：ＴＩＮＵＶＩＮ  ６２２）＋  ダスチブ  １０８２（登録商標：ＤＡＳＴＩＢ  １０８２）＋  チヌビン  ７７０（登録商標：ＴＩＮＵＶＩＮ  ７７０）
１７０．チヌビン  ６２２（登録商標：ＴＩＮＵＶＩＮ  ６２２）＋  ダスチブ  １０８２（登録商標：ＤＡＳＴＩＢ  １０８２）＋  チヌビン  ７６５（登録商標：ＴＩＮＵＶＩＮ  ７６５）
１７１．チヌビン  ６２２（登録商標：ＴＩＮＵＶＩＮ  ６２２）＋  ダスチブ  １０８２（登録商標：ＤＡＳＴＩＢ  １０８２）＋  チヌビン  １４４（登録商標：ＴＩＮＵＶＩＮ  １４４）
１７２．チヌビン  ６２２（登録商標：ＴＩＮＵＶＩＮ  ６２２）＋  ダスチブ  １０８２（登録商標：ＤＡＳＴＩＢ  １０８２）＋  チヌビン  １２３（登録商標：ＴＩＮＵＶＩＮ  １２３）
１７３．チヌビン  ６２２（登録商標：ＴＩＮＵＶＩＮ  ６２２）＋  ダスチブ  １０８２（登録商標：ＤＡＳＴＩＢ  １０８２）＋  式（Ｂ−３−ａ）の化合物（式中、Ｅ12は，水素原子を表す。）
１７４．チヌビン  ６２２（登録商標：ＴＩＮＵＶＩＮ  ６２２）＋  ダスチブ  １０８２（登録商標：ＤＡＳＴＩＢ  １０８２）＋  ホスタビン  Ｎ  ２４（登録商標：ＨＯＳＴＡＶＩＮ  Ｎ  ２４）
１７５．チヌビン  ６２２（登録商標：ＴＩＮＵＶＩＮ  ６２２）＋  ダスチブ  １０８２（登録商標：ＤＡＳＴＩＢ  １０８２）＋  ジアセタム  ５（登録商標：ＤＩＡＣＥＴＡＭ  ５）
１７６．チヌビン  ６２２（登録商標：ＴＩＮＵＶＩＮ  ６２２）＋  ダスチブ  １０８２（登録商標：ＤＡＳＴＩＢ  １０８２）＋  ＡＤＫ  スタブ  ＬＡ  ５２（登録商標：ＡＤＫ  ＳＴＡＢ  ＬＡ  ５２）
１７７．チヌビン  ６２２（登録商標：ＴＩＮＵＶＩＮ  ６２２）＋  ダスチブ  １０８２（登録商標：ＤＡＳＴＩＢ  １０８２）＋  ＡＤＫ  スタブ  ＬＡ  ５７（登録商標：ＡＤＫ  ＳＴＡＢ  ＬＡ  ５７）
１７８．チヌビン  ６２２（登録商標：ＴＩＮＵＶＩＮ  ６２２）＋  ダスチブ  １０８２（登録商標：ＤＡＳＴＩＢ  １０８２）＋  ＡＤＫ  スタブ  ＬＡ  ６２（登録商標：ＡＤＫ  ＳＴＡＢ  ＬＡ  ６２）
１７９．チヌビン  ６２２（登録商標：ＴＩＮＵＶＩＮ  ６２２）＋  ダスチブ  １０８２（登録商標：ＤＡＳＴＩＢ  １０８２）＋  ＡＤＫ  スタブ  ＬＡ  ６７（登録商標：ＡＤＫ  ＳＴＡＢ  ＬＡ  ６７）
１８０．チヌビン  ６２２（登録商標：ＴＩＮＵＶＩＮ  ６２２）＋  ダスチブ  １０８２（登録商標：ＤＡＳＴＩＢ  １０８２）＋  グッドライト  ＵＶ  ３０３４（登録商標：ＧＯＯＤＲＩＴＥ  ＵＶ  ３０３４）
１８１．チヌビン  ６２２（登録商標：ＴＩＮＵＶＩＮ  ６２２）＋  ダスチブ  １０８２（登録商標：ＤＡＳＴＩＢ  １０８２）＋  グッドライト  ＵＶ  ３１５０（登録商標：ＧＯＯＤＲＩＴＥ  ＵＶ  ３１５０）
１８２．チヌビン  ６２２（登録商標：ＴＩＮＵＶＩＮ  ６２２）＋  ダスチブ  １０８２（登録商標：ＤＡＳＴＩＢ  １０８２）＋  グッドライト  ＵＶ  ３１５９（登録商標：ＧＯＯＤＲＩＴＥ  ＵＶ  ３１５９）
１８３．チヌビン  ６２２（登録商標：ＴＩＮＵＶＩＮ  ６２２）＋  ダスチブ  １０８２（登録商標：ＤＡＳＴＩＢ  １０８２）＋  式（Ｂ−９−ａ）の化合物（式中、Ｅ25は水素原子を表す。）
１８４．チヌビン  ６２２（登録商標：ＴＩＮＵＶＩＮ  ６２２）＋  ダスチブ  １０８２（登録商標：ＤＡＳＴＩＢ  １０８２）＋  ユビヌル  ４０４９（登録商標：ＵＶＩＮＵＬ  ４０４９）
１８５．チヌビン  ６２２（登録商標：ＴＩＮＵＶＩＮ  ６２２）＋  ダスチブ  １０８２（登録商標：ＤＡＳＴＩＢ  １０８２）＋  式（Ｂ−１０−ａ）の化合物（式中、Ｅ29は、水素原子を表す。）
１８６．チヌビン  ６２２（登録商標：ＴＩＮＵＶＩＮ  ６２２）＋  ダスチブ  １０８２（登録商標：ＤＡＳＴＩＢ  １０８２）＋  式（Ｂ−１−ａ）の化合物（式中、Ｅ1は、水素原子を表す。）
１８７．チヌビン  ６２２（登録商標：ＴＩＮＵＶＩＮ  ６２２）＋  ダスチブ  １０８２（登録商標：ＤＡＳＴＩＢ  １０８２）＋  スミソルブ  ＴＭ  ６１（登録商標：ＳＵＭＩＳＯＲＢ  ＴＭ  ６１）
１８８．チヌビン  ６２２（登録商標：ＴＩＮＵＶＩＮ  ６２２）＋  ダスチブ  １０８２（登録商標：ＤＡＳＴＩＢ  １０８２）＋  サンデュボア  ３０５０（登録商標：ＳＡＮＤＵＶＯＲ  ３０５０）
１８９．チヌビン  ６２２（登録商標：ＴＩＮＵＶＩＮ  ６２２）＋  ダスチブ  １０８２（登録商標：ＤＡＳＴＩＢ  １０８２）＋  サンデュボア  ＰＲ  ３１（登録商標：ＳＡＮＤＵＶＯＲ  ＰＲ  ３１）
１９０．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  チヌビン  ７７０（登録商標：ＴＩＮＵＶＩＮ  ７７０）
１９１．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  チヌビン  ７６５（登録商標：ＴＩＮＵＶＩＮ  ７６５）
１９２．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  チヌビン  １４４（登録商標：ＴＩＮＵＶＩＮ  １４４）
１９３．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  チヌビン  １２３（登録商標：ＴＩＮＵＶＩＮ  １２３）
１９４．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  式（Ｂ−３−ａ）の化合物（式中、Ｅ12は，水素原子を表す。）
１９５．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  ホスタビン  Ｎ  ２４（登録商標：ＨＯＳＴＡＶＩＮ  Ｎ  ２４）
１９６．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  ジアセタム  ５（登録商標：ＤＩＡＣＥＴＡＭ  ５）
１９７．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  ＡＤＫ  スタブ  ＬＡ  ５２（登録商標：ＡＤＫ  ＳＴＡＢ  ＬＡ  ５２）
１９８．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  ＡＤＫ  スタブ  ＬＡ  ５７（登録商標：ＡＤＫ  ＳＴＡＢ  ＬＡ  ５７）
１９９．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  ＡＤＫ  スタブ  ＬＡ  ６２（登録商標：ＡＤＫ  ＳＴＡＢ  ＬＡ  ６２）
２００．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  ＡＤＫ  スタブ  ＬＡ  ６７（登録商標：ＡＤＫ  ＳＴＡＢ  ＬＡ  ６７）
２０１．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  グッドライト  ＵＶ  ３０３４（登録商標：ＧＯＯＤＲＩＴＥ  ＵＶ  ３０３４）
２０２．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  グッドライト  ＵＶ  ３１５０（登録商標：ＧＯＯＤＲＩＴＥ  ＵＶ  ３１５０）
２０３．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  グッドライト  ＵＶ  ３１５９（登録商標：ＧＯＯＤＲＩＴＥ  ＵＶ  ３１５９）
２０４．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  式（Ｂ−９−ａ）の化合物（式中、Ｅ25は水素原子を表す。）
２０５．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  ユビヌル  ４０４９（登録商標：ＵＶＩＮＵＬ  ４０４９）
２０６．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  式（Ｂ−１０−ａ）の化合物（式中、Ｅ29は、水素原子を表す。）
２０７．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  式（Ｂ−１−ａ）の化合物（式中、Ｅ1は、水素原子を表す。）
２０８．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  スミソルブ  ＴＭ  ６１（登録商標：ＳＵＭＩＳＯＲＢ  ＴＭ  ６１）
２０９．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  サンデュボア  ３０５０（登録商標：ＳＡＮＤＵＶＯＲ  ３０５０）
２１０．チヌビン  ６２２（登録商標：ＴＩＮＵＶＩＮ  ６２２）＋  ルケム  ＨＡ  Ｂ  １８（登録商標：ＬＵＣＨＥＭ  ＨＡ  Ｂ  １８）＋  サンデュボア  ＰＲ  ３１（登録商標：ＳＡＮＤＵＶＯＲ  ＰＲ  ３１）
２１１．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  チヌビン７７０（登録商標：ＴＩＮＵＶＩＮ  ７７０）
２１２．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  チヌビン  ７６５（登録商標：ＴＩＮＵＶＩＮ  ７６５）
２１３．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  チヌビン  １４４（登録商標：ＴＩＮＵＶＩＮ  １４４）
２１４．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  チヌビン  １２３（登録商標：ＴＩＮＵＶＩＮ  １２３）
２１５．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  式（Ｂ−３−ａ）の化合物（式中、Ｅ12は，水素原子を表す。）
２１６．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  ホスタビン  Ｎ  ２４（登録商標：ＨＯＳＴＡＶＩＮ  Ｎ  ２４）
２１７．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  ジアセタム  ５（登録商標：ＤＩＡＣＥＴＡＭ  ５）
２１８．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  ＡＤＫ  スタブ  ＬＡ  ５２（登録商標：ＡＤＫ  ＳＴＡＢ  ＬＡ  ５２）
２１９．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  ＡＤＫ  スタブ  ＬＡ  ５７（登録商標：ＡＤＫ  ＳＴＡＢ  ＬＡ  ５７）
２２０．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  ＡＤＫ  スタブ  ＬＡ  ６２（登録商標：ＡＤＫ  ＳＴＡＢ  ＬＡ  ６２）
２２１．チヌビン６２２（登録商標：ＴＩＮＵＶＩＮ６２２）＋ＡＤＫスタブ  ＬＡ  ６３（登録商標：ＡＤＫ  ＳＴＡＢ  ＬＡ  ６３）＋  ＡＤＫ  スタブ  ＬＡ  ６７（登録商標：ＡＤＫ  ＳＴＡＢ  ＬＡ  ６７）
２２２．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  グッドライト  ＵＶ  ３０３４（登録商標：ＧＯＯＤＲＩＴＥ  ＵＶ  ３０３４）
２２３．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  グッドライト  ＵＶ  ３１５０（登録商標：ＧＯＯＤＲＩＴＥ  ＵＶ  ３１５０）
２２４．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  グッドライト  ＵＶ  ３１５９（登録商標：ＧＯＯＤＲＩＴＥ  ＵＶ  ３１５９）
２２５．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  式（Ｂ−９−ａ）の化合物（式中、Ｅ25は水素原子を表す。）
２２６．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  ユビヌル  ４０４９（登録商標：ＵＶＩＮＵＬ  ４０４９）
２２７．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  式（Ｂ−１０−ａ）の化合物（式中、Ｅ29は、水素原子を表す。）
２２８．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  式（Ｂ−１−ａ）の化合物（式中、Ｅ1は、水素原子を表す。）
２２９．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  スミソルブ  ＴＭ  ６１（登録商標：ＳＵＭＩＳＯＲＢ  ＴＭ  ６１）
２３０．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  サンデュボア  ３０５０（登録商標：ＳＡＮＤＵＶＯＲ  ３０５０）
２３１．チヌビン  ６２２（登録商標：ＴＩＮＵＶＩＮ  ６２２）＋  ＡＤＫ  スタブ  ＬＡ  ６３（登録商標：ＡＤＫ  ＳＴＡＢ  ＬＡ  ６３）＋  サンデュボア  ＰＲ  ３１（登録商標：ＳＡＮＤＵＶＯＲ  ＰＲ  ３１）
２３２．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  チヌビン  ７７０（登録商標：ＴＩＮＵＶＩＮ  ７７０）
２３３．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  チヌビン  ７６５（登録商標：ＴＩＮＵＶＩＮ  ７６５）
２３４．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  チヌビン  １４４（登録商標：ＴＩＮＵＶＩＮ  １４４）
２３５．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  チヌビン  １２３（登録商標：ＴＩＮＵＶＩＮ  １２３）
２３６．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  式（Ｂ−３−ａ）の化合物（式中、Ｅ12は，水素原子を表す。）
２３７．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  ホスタビン  Ｎ  ２４（登録商標：ＨＯＳＴＡＶＩＮ  Ｎ  ２４）
２３８．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  ジアセタム  ５（登録商標：ＤＩＡＣＥＴＡＭ  ５）
２３９．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  ＡＤＫ  スタブ  ＬＡ  ５２（登録商標：ＡＤＫ  ＳＴＡＢ  ＬＡ  ５２）
２４０．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  ＡＤＫ  スタブ  ＬＡ  ５７（登録商標：ＡＤＫ  ＳＴＡＢ  ＬＡ  ５７）
２４１．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  ＡＤＫ  スタブ  ＬＡ  ６２（登録商標：ＡＤＫ  ＳＴＡＢ  ＬＡ  ６２）
２４２．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  ＡＤＫ  スタブ  ＬＡ  ６７（登録商標：ＡＤＫ  ＳＴＡＢ  ＬＡ  ６７）
２４３．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  グッドライト  ＵＶ  ３０３４（登録商標：ＧＯＯＤＲＩＴＥ  ＵＶ  ３０３４）
２４４．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  グッドライト  ＵＶ  ３１５０（登録商標：ＧＯＯＤＲＩＴＥ  ＵＶ  ３１５０）
２４５．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  グッドライト  ＵＶ  ３１５９（登録商標：ＧＯＯＤＲＩＴＥ  ＵＶ  ３１５９）
２４６．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  式（Ｂ−９−ａ）の化合物（式中、Ｅ25は水素原子を表す。）
２４７．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  ユビヌル  ４０４９（登録商標：ＵＶＩＮＵＬ  ４０４９）
２４８．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  式（Ｂ−１０−ａ）の化合物（式中、Ｅ29は、水素原子を表す。）
２４９．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  式（Ｂ−１−ａ）の化合物（式中、Ｅ1は、水素原子を表す。）
２５０．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  スミソルブ  ＴＭ  ６１（登録商標：ＳＵＭＩＳＯＲＢ  ＴＭ  ６１）
２５１．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢ  ＬＡ  ６８）＋  サンデュボア  ３０５０（登録商標：ＳＡＮＤＵＶＯＲ  ３０５０）
２５２．チヌビン  ６２２（登録商標：ＴＩＮＵＶＩＮ  ６２２）＋  ＡＤＫ  スタブ  ＬＡ  ６８（登録商標：ＡＤＫ  ＳＴＡＢＬＡ  ６８）＋  サンデュボア  ＰＲ  ３１（登録商標：ＳＡＮＤＵＶＯＲ  ＰＲ  ３１）
２５３．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  チヌビン  ７７０（登録商標：ＴＩＮＵＶＩＮ  ７７０）
２５４．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  チヌビン  ７６５（登録商標：ＴＩＮＵＶＩＮ  ７６５）
２５５．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  チヌビン  １４４（登録商標：ＴＩＮＵＶＩＮ  １４４）
２５６．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  チヌビン  １２３（登録商標：ＴＩＮＵＶＩＮ  １２３）
２５７．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  式（Ｂ−３−ａ）の化合物（式中、Ｅ12は，水素原子を表す。）
２５８．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  ホスタビン  Ｎ  ２４（登録商標：ＨＯＳＴＡＶＩＮ  Ｎ  ２４）
２５９．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  ジアセタム  ５（登録商標：ＤＩＡＣＥＴＡＭ  ５）
２６０．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  ＡＤＫ  スタブ  ＬＡ  ５２（登録商標：ＡＤＫ  ＳＴＡＢ  ＬＡ  ５２）
２６１．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  ＡＤＫ  スタブ  ＬＡ  ５７（登録商標：ＡＤＫ  ＳＴＡＢ  ＬＡ  ５７）
２６２．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  ＡＤＫ  スタブ  ＬＡ  ６２（登録商標：ＡＤＫ  ＳＴＡＢ  ＬＡ  ６２）
２６３．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  ＡＤＫ  スタブ  ＬＡ  ６７（登録商標：ＡＤＫ  ＳＴＡＢ  ＬＡ  ６７）
２６４．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  グッドライト  ＵＶ  ３０３４（登録商標：ＧＯＯＤＲＩＴＥ  ＵＶ  ３０３４）
２６５．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  グッドライト  ＵＶ  ３１５０（登録商標：ＧＯＯＤＲＩＴＥ  ＵＶ  ３１５０）
２６６．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  グッドライト  ＵＶ  ３１５９（登録商標：ＧＯＯＤＲＩＴＥ  ＵＶ  ３１５９）
２６７．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  式（Ｂ−９−ａ）の化合物（式中、Ｅ25は水素原子を表す。）
２６８．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  ユビヌル  ４０４９（登録商標：ＵＶＩＮＵＬ  ４０４９）
２６９．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  式（Ｂ−１０−ａ）の化合物（式中、Ｅ29は、水素原子を表す。）
２７０．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  式（Ｂ−１−ａ）の化合物（式中、Ｅ1は、水素原子を表す。）
２７１．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  スミソルブ  ＴＭ  ６１（登録商標：ＳＵＭＩＳＯＲＢ  ＴＭ  ６１）
２７２．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  サンデュボア  ３０５０（登録商標：ＳＡＮＤＵＶＯＲ  ３０５０）
２７３．チヌビン  ６２２（登録商標：ＴＩＮＵＶＩＮ  ６２２）＋  シアソルブ  ＵＶ  ３５２９（登録商標：ＣＹＡＳＯＲＢ  ＵＶ  ３５２９）＋  サンデュボア  ＰＲ  ３１（登録商標：ＳＡＮＤＵＶＯＲ  ＰＲ  ３１）【００７３】  安定剤混合物のさらなる実施例は、１ないし２７３の上記組合わせにおいて、市販品チヌビン  ６２２（登録商標：ＴＩＮＵＶＩＮ  ６２２）を式（Ａ−２−ａ）及び／又は（Ａ−２−ｂ）
【化１７５】
0005204363.tif 000077
（式中、ｎ2及びｎ2＊は、２ないし２０の数を表す。）
の化合物で置換えられたものである。【００７４】  安定剤混合物のさらなる実施例は、１ないし２７３の上記組合わせにおいて、市販品チヌビン  ６２２（登録商標：ＴＩＮＵＶＩＮ  ６２２）が式（Ａ−４−ａ）
【化１７６】
0005204363.tif 000078
（式中、ｎ4は、２ないし２０の数を表し、そして基Ａ7の少なくとも５０％は、式
【化１７７】
0005204363.tif 000079
の基を表し、そして残りの基Ａ7が、エチル基を表す。）
の化合物で置換えられたものである。【００７５】  特に興味深い組合せは、番号１、及び相当する組合せである市販品チヌビン  ６２２（登録商標：ＴＩＮＵＶＩＮ  ６２２）が、式（Ａ−２−ａ）及び／又は（Ａ−２−ｂ）の化合物で置換えられたもの、番号８５、及び相当する組合せであるユバシル  ２９９（登録商標：ＵＶＡＳＩＬ  ２９９）が、ユバシル  １２５（登録商標：ＵＶＡＳＩＬ  １２５）又はユバシル  ２０００（登録商標：ＵＶＡＳＩＬ  ２０００）で置換えられたもの、並びに番号２２、４３、６４、１０６、１２７及び２５３のものである。【００７６】  特に興味深いさらなる組合せは、番号１、４、５、１７及び２３のものである。【００７７】  市販製品チヌビン  ６２２（登録商標：ＴＩＮＵＶＩＮ  ６２２）は、式（Ａ−１−ａ）で表される化合物に相当する。
市販製品チヌビン  ７７０（登録商標：ＴＩＮＵＶＩＮ  ７７０）は、式（Ｂ−１−ｂ）で表される化合物（式中、Ｅ1は水素原子を表す。）に相当する。
市販製品チヌビン  ７６５（登録商標：ＴＩＮＵＶＩＮ  ７６５）は、式（Ｂ−１−ｂ）で表される化合物（式中、Ｅ1はメチル基を表す。）に相当する。
市販製品チヌビン  １２３（登録商標：ＴＩＮＵＶＩＮ  １２３）は、式（Ｂ−１−ｂ）で表される化合物（式中、Ｅ1はオクチルオキシ基を表す。）に相当する。
市販製品チヌビン  １４４（登録商標：ＴＩＮＵＶＩＮ  １４４）は、式（Ｂ−１−ｃ）で表される化合物（式中、Ｅ1はメチル基を表す。）に相当する。
市販製品ＡＤＫ  スタブ  ＬＡ  ５７（登録商標：ＡＤＫ  ＳＴＡＢ  ＬＡ  ５７）は、式（Ｂ−１−ｄ）で表される化合物（式中、Ｅ1は水素原子を表す。）に相当する。
市販製品ＡＤＫ  スタブ  ＬＡ  ５２（登録商標：ＡＤＫ  ＳＴＡＢ  ＬＡ  ５２）は、式（Ｂ−１−ｄ）で表される化合物（式中、Ｅ1はメチル基を表す。）に相当する。
市販製品ＡＤＫ  スタブ  ＬＡ  ６７（登録商標：ＡＤＫ  ＳＴＡＢ  ＬＡ  ６７）は、式（Ｂ−２−ａ）で表される化合物（式中、Ｅ8は水素原子を表す。）に相当する。
市販製品ＡＤＫ  スタブ  ＬＡ  ６２（登録商標：ＡＤＫ  ＳＴＡＢ  ＬＡ  ６２）は、式（Ｂ−２−ａ）で表される化合物（式中、Ｅ1はメチル基を表す。）に相当する。
市販製品ホスタビン  Ｎ  ２４（登録商標：ＨＯＳＴＡＶＩＮ  Ｎ  ２４）は、式（Ｂ−３−ｂ）で表される化合物（式中、Ｅ12は水素原子を表す。）に相当する。
市販品サンデュボア  ３０５０（登録商標：ＳＡＮＤＵＶＯＲ  ３０５０）は、以下で示される式（Ｂ−３−ｂ−１）で表される化合物（式中、Ｅ12は水素原子を表す。）に相当する。
市販品ジアセタム  ５（登録商標：ＤＩＡＣＥＴＡＭ  ５）は、式（Ｂ−４−ａ）で表される化合物（式中、Ｅ13は水素原子を表す。）に相当する。
市販品スミソルブ  ＴＭ  ６１（登録商標：ＳＵＭＩＳＯＲＢ  ＴＭ  ６１）は、式（Ｂ−４−ｂ）で表される化合物（式中、Ｅ13は水素原子を表す。）に相当する。
市販品ユビヌル  ４０４９（登録商標：ＵＶＩＮＵＬ  ４０４９）は、式（Ｂ−５）で表される化合物（式中、Ｅ16は水素原子を表す。）に相当する。
市販品サンデュボア  ＰＲ  ３１（登録商標：ＳＡＮＤＵＶＯＲ  ＰＲ３１）は、式（Ｂ−８−ａ）で表される化合物（式中、Ｅ23はメチル基を表す。）に相当する。
市販品グッドライト  ＵＶ  ３０３４（登録商標：ＧＯＯＤＲＩＴＥ  ＵＶ  ３０３４）は、式（Ｂ−９−ｂ）で表される化合物（式中、Ｅ25は水素原子を表す。）に相当する。
市販品グッドライト  ＵＶ  ３１５０（登録商標：ＧＯＯＤＲＩＴＥ  ＵＶ  ３１５０）は、式（Ｂ−９−ｃ）で表される化合物（式中、Ｅ25は水素原子を表す。）に相当する。
市販品グッドライト  ＵＶ  ３１５９（登録商標：ＧＯＯＤＲＩＴＥ  ＵＶ  ３１５９）は、式（Ｂ−９−ｃ）で表される化合物（式中、Ｅ25はメチル基を表す。）に相当する。
市販品チマソルブ  ９４４（登録商標：ＣＨＩＭＡＳＳＯＲＢ  ９４４）は、式（Ｃ−１−ａ）で表される化合物（式中、Ｒ6は水素原子を表す。）に相当する。
市販品チマソルブ  ２０２０（登録商標：ＣＨＩＭＡＳＳＯＲＢ  ２０２０）は、式（Ｃ−１−ｂ）で表される化合物（式中、Ｒ6は水素原子を表す。）に相当する。
市販品ダスチブ  １０８２（登録商標：ＤＡＳＴＩＢ  １０８２）は、式（Ｃ−１−ｃ）で表される化合物（式中、Ｒ6は水素原子を表す。）に相当する。
市販品シアソルブ  ＵＶ  ３３４６（登録商標：ＣＹＡＳＯＲＢ  ＵＶ  ３３４６）は、式（Ｃ−１−ｄ）で表される化合物（式中、Ｒ6は水素原子を表す。）に相当する。
市販品シアソルブ  ＵＶ  ３５２９（登録商標：ＣＹＡＳＯＲＢ  ＵＶ  ３５２９）は、式（Ｃ−１−ｄ）で表される化合物（式中、Ｒ6はメチル基を表す。）に相当する。
市販品チマソルブ  １１９（登録商標：ＣＨＩＭＡＳＳＯＲＢ  １１９）は、式（Ｃ−２−ａ）で表される化合物（式中、Ｒ13はメチル基を表す。）に相当する。
市販品ユバシル  ２９９（登録商標：ＵＶＡＳＩＬ  ２９９）は、式（Ｃ−３−ａ）で表される化合物（式中、Ｒ16は水素原子を表す。）に相当する。
市販品ユビヌル  ５０５０  Ｈ（登録商標：ＵＶＩＮＵＬ  ５０５０  Ｈ）は、式（Ｃ−４−ａ）で表される化合物（式中、Ｒ18は水素原子を表す。）に相当する。
市販品リヒツフツシュトフ  ＵＶ  ３１（登録商標：ＬＩＣＨＴＳＣＨＵＴＺＳＴＯＦＦ  ＵＶ  ３１）は、式（Ｃ−４−ｂ）で表される化合物（式中、Ｒ18は水素原子を表す。）に相当する。
市販品ルケム  ＨＡ  Ｂ  １８（登録商標：ＬＵＣＨＥＭ  ＨＡ  Ｂ  １８）は、式（Ｃ−４−ｃ）で表される化合物（式中、Ｒ18は水素原子を表す。）に相当する。
市販品ＡＤＫ  ＳＡＴＢ  ＬＡ  ６８（登録商標：ＡＤＫ  ＳＡＴＢ  ＬＡ６８）は、式（Ｃ−５−ａ）で表される化合物（式中、Ｒ30は水素原子を表す。）に相当する。
市販品ＡＤＫ  ＳＡＴＢ  ＬＡ  ６３（登録商標：ＡＤＫ  ＳＡＴＢ  ＬＡ６３）は、式（Ｃ−５−ａ）で表される化合物（式中、Ｒ30はメチル基を表す。）に相当する。
市販品ユバソルブ  ＨＡ  ８８（登録商標：ユバソルブ  ＨＡ  ８８）は、式（Ｃ−６−ａ）で表される化合物（式中、Ｒ32は水素原子を表す。）に相当する。【００７８】式（Ｂ−３−ｂ−１）の化合物は、以下の構造
【化１７８】
0005204363.tif 000080
を有する。【００７９】  本発明による安定剤混合物は、光、熱または酸化により誘導される分解に対して有機材料を安定化するために適当である。そのような有機材料の例は以下の通りである。
１．モノオレフィンおよびジオレフィンのポリマー、例えばポリプロピレン、ポリイソブチレン、ポリブテ−１−エン、ポリ−４−メチルペンテ−１−エン、ポリイソプレンまたはポリブタジエン、並びにシクロオレフィン、例えばシクロペンテンまたはノルボルネンのポリマー、ポリエチレン（所望に架橋されることができる）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）。【００８０】  ポリオレフィン、すなわち前段落において例示されたモノオレフィンのポリマー、好ましくはポリエチレンおよびポリプロピレンは、異なった、および特に以下の方法によって製造されることができる。
ａ）ラジカル重合（通常、高圧下および高温で）。
ｂ）通常一種または一種より多くの周期表のＩＶｂ、Ｖｂ、ＶＩｂまたはＶＩＩＩ群の金属原子を含む触媒を使用する触媒重合。これらの金属原子は通常１個または１個より多くの、代表的にはπ−またはσ−配位され得るオキシド、ハライド、アルコレート、エステル、エーテル、アミン、アルキル、アルケニルおよび／またはアリールのような配位子を有する。これらの金属錯体は遊離状態であり得るか、あるいは代表的には活性化塩化マグネシウム、塩化チタン（ＩＩＩ）、アルミナまたは酸化ケイ素のような基材上に固定され得る。これらの触媒は重合媒体中に可溶または不溶であり得る。触媒は重合において単独で使用されることができ、または代表的には金属アルキル、金属ヒドライド、金属アルキルハライド、金属アルキルオキシドまたは金属アルキルオキサンのようなさらなる活性化剤が使用されることができ、該金属原子は周期表のＩａ、ＩＩａおよび／またはＩＩＩａ群の元素である。活性化剤はさらなるエステル、エーテル、アミンまたはシリルエーテル基を用いて都合よく変性され得る。これらの触媒系は通常、フィリップス（Ｐｈｉｌｌｉｐｓ）、スタンダード オイル インディアナ（Ｓｔａｎｄａｒｄ  Ｏｉｌ  Ｉｎｄｉａｎａ）、チグラー（−ナッタ）（Ｚｉｅｇｌｅｒ（−Ｎａｔｔａ））、ＴＮＺ（デュポン(ＤｕＰｏｎｔ)）、メタロセンまたはシングルサイト触媒（ｓｉｎｇｌｅ  ｓｉｔｅ  ｃａｔａｌｙｓｔ）（ＳＳＣ）と命名される。【００８１】２．１）に記載されたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）および異なるタイプのポリエチレンの混合物（例えばＬＤＰＥ／ＨＤＰＥ）。【００８２】３．モノオレフィンおよびジオレフィンの相互または他のビニルモノマーとのコポリマー、例えばエチレン／プロピレンコポリマー、線状低密度ポリエチレン（ＬＬＤＰＥ）およびそれらと低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマーおよびそれらと一酸化炭素とのコポリマーまたはエチレン／アクリル酸コポリマーおよびそれらの塩（アイオノマー）並びにエチレンとプロピレンおよびヘキサジエン、ジシクロペンタジエンまたはエチリデン−ノルボルネンのようなジエンとのターポリマー、およびそのようなコポリマー相互および１）に記載されたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらと例えばポリアミドのような他��ポリマーとの混合物。【００８３】４．炭化水素樹脂（例えば炭素原子数５ないし９）であって、それらの水素化変性物（例えば粘着付与剤）を含むもの、およびポリアルキレンおよび澱粉の混合物。【００８４】５．ポリスチレン、ポリ（ｐ−メチルスチレン）、ポリ（α−メチルスチレン）。【００８５】６．スチレンまたはα−メチルスチレンとジエンまたはアクリル誘導体とのコポリマー、例えばスチレン／ブタジエン、スチレン／アクリロニトリル、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート、
スチレンコポリマーおよび他のポリマー、例えばポリアクリレート、ジエンポリマーまたはエチレン／プロピレン／ジエンダーポリマーの高衝撃強度性の混合物、および
スチレン／ブタジエン／スチレン、スチレン／イソプレン／スチレン、スチレン／エチレン／ブチレン／スチレンまたはスチレン／エチレン／プロピレン／スチレンのようなスチレンのブロックコポリマー。【００８６】７．スチレンまたはα−メチルスチレンのグラフトコポリマー、例えばポリブタジエンにスチレン、ポリブタジエン−スチレンまたはポリブタジエン−アクリロニトリルコポリマーにスチレン、
ポリブタジエンにスチレンおよびアクリロニトリル（またはメタアクリロニトリル）、
ポリブタジエンにスチレン、アクリロニトリルおよびメチルメタクリレート、
ポリブタジエンにスチレンおよび無水マレイン酸、
ポリブタジエンにスチレン、アクリロニトリルおよび無水マレイン酸またはマレイミド、ポリブタジエンにスチレンおよびマレイミド、ポリブタジエンにスチレンおよびアルキルアクリレートまたはメタクリレート、エチレン／プロピレン／ジエンターポリマーにスチレンおよびアクリロニトリル、ポリアルキルアクリレートまたはポリアルキルメタクリレートにスチレンおよびアクリロニトリル、アクリレート／ブタジエンコポリマーにスチレンおよびアクリロニトリル、並びに６）に列挙されたコポリマーとのそれらの混合物、例えば、ＡＢＳ、ＭＢＳ、ＡＳＡまたはＡＥＳポリマーとして知られているコポリマー混合物。【００８７】８．ハロゲン含有ポリマー、例えばポリクロロプレン、塩素化ゴム、イソブチレン−イソプレンの塩素化および臭素化コポリマー（ハロブチルゴム）、塩素化またはスルホ塩素化ポリエチレン、エチレンおよび塩素化エチレンのコポリマー、エピクロロヒドリン  ホモ−およびコポリマー、特にハロゲン含有ビニル化合物のポリマー、例えばポリ塩化ビニル、ポリ塩化ビニリデン、ポリフッ化ビニル、ポリフッ化ビニリデン、並びにそれらのコポリマー、例えば塩化ビニル／塩化ビニリデン、塩化ビニル／酢酸ビニルまたは塩化ビニリデン／酢酸ビニルコポリマー。【００８８】９．α，β−不飽和酸から誘導されたポリマーならびにポリアクリレートおよびポリメタクリレートのようなそれらの誘導体、
ブチルアクリレートで耐衝撃変性されたポリメチルメタクリレート、ポリアクリルアミドおよびポリアクリロニトリル。【００８９】１０．９）に記載されたモノマーの相互または他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ビニルハライドコポリマーまたはアクリロニトリル／アルキルメタクリレート／ブタジエンターポリマー。【００９０】１１．不飽和アルコールおよびアミンから誘導されたポリマーまたはアシル誘導体またはそれらのアセタール、例えばポリビニルアルコール、ポリ酢酸ビニル、ポリビニルステアレート、ポリビニルベンゾエート、ポリビニルマレエート、ポリビニルブチラル、ポリアリルフタレートまたはポリアリルメラミン、並びに上記１）に記載されたオレフィンとのそれらのコポリマー。【００９１】１２．ポリアルキレングリコール、ポリエチレンオキシド、ポリプロピレンオキシドのような環式エーテルのホモポリマーおよびコポリマーまたはそれらのビスグリシジルエーテルとのコポリマー。【００９２】１３．ポリオキシメチレンのようなポリアセタールおよびコモノマーとしてエチレンオキシドを含むそれらのポリオキシメチレン、
熱可塑性ポリウレタン、アクリレートまたはＭＢＳで変性されたポリアセタール。【００９３】１４．ポリフェニレンオキシドおよびスルフィド、およびポリフェニレンオキシドとスチレンポリマーまたはポリアミドとの混合物。【００９４】１５．一方の成分としてヒドロキシル末端基で終了されたポリエーテル、ポリエステルまたはポリブタジエン、および他方の成分として脂肪族または芳香族ポリイソシアナートから誘導されたポリウレタン、並びにそれらの前駆物質。【００９５】１６．ジアミン並びにジカルボン酸および／またはアミノカルボン酸または対応するラクタムから誘導されたポリアミドおよびコポリアミド、例えばポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発した芳香族ポリアミド、ヘキサメチレンジアミンおよびイソフタル酸または／およびテレフタル酸から変性剤としてエラストマーを用いてまたは用いずに製造されたポリアミド、例えばポリ−２，４，４−トリメチルヘキサメチレンテレフタルアミドまたはポリ−ｍ−フェニレンイソフタルアミド、及び又上記されたポリアミドとポリオレフィン、オレフィンコポリマー、アイオノマーまたは化学結合もしくはグラフトされたエラストマー、または
ポリエチレングリコール、ポリプロピレングリコールまたはポリテトラメチレングリコールのようなポリエーテルとのブロックコポリマー、並びに
ＥＰＤＭまたはＡＢＳで変性されたポリアミドまたはコポリアミド、および
加工の間に縮合されたポリアミド（ＲＩＭポリアミド系）。【００９６】１７．ポリ尿素、ポリイミド、ポリアミド−イミド、ポリエーテルイミド、ポリエステルイミド、ポリヒダントインおよびポリベンズイミダゾール。【００９７】１８．ジカルボン酸並びにジオールおよび／またはヒドロキシカルボン酸または対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート(PAN)およびポリヒドロキシベンゾエート、並びにヒドロキシル末端基で終了されたポリエーテルから誘導されたブロックコポリエーテルエステル、およびまた
ポリカーボネートまたはＭＢＳで変性されたポリエステル。【００９８】１９．ポリカーボネートおよびポリエステルカーボネート。【００９９】２０．ポリスルホン、ポリエーテルスルホンおよびポリエーテルケトン。【０１００】２１．一方の成分としてアルデヒド、および他方の成分としてフェノール、尿素およびメラミンから誘導された架橋ポリマー、例えばフェノール／ホルムアルデヒド樹脂、尿素／ホルムアルデヒド樹脂およびメラミン／ホルムアルデヒド樹脂。【０１０１】２２．乾式および不乾式アルキド樹脂。【０１０２】２３．飽和および不飽和ジカルボン酸と多価アルコールおよび架橋剤としてのビニル化合物とのコポリエステルから誘導された不飽和ポリエステル樹脂、およびまた低燃焼性のそれらのハロゲン含有変性物。【０１０３】２４．置換されたアクリレートから誘導された架橋可能なアクリル樹脂、例えばエポキシアクリレート、ウレタンアクリレートまたはポリエステルアクリレート。【０１０４】２５．メラミン樹脂、尿素樹脂、イソシアナート、イソシアヌレート、ポリイソシアナートまたはエポキシ樹脂で架橋されたアルキド樹脂、ポリエステル樹脂およびアクリレート樹脂。【０１０５】２６．脂肪族、環式脂肪族、複素環式または芳香族グリシジル化合物から誘導された架橋エポキシ樹脂、例えばビスフェノールＡおよびビスフェノールＦのジグリシジルエーテルの生成物であって、無水物またはアミンのような慣用の硬化剤と、促進剤を用いてまたは用いずに架橋されたもの。【０１０６】２７．セルロース、ゴム、ゼラチンのような天然ポリマーおよび化学変性されたそれらの同質誘導体、例えば酢酸セルロース、セルロースプロピオネートおよびセルロースブチレート、またはメチルセルロースのようなセルロースエーテル、並びにロジンおよびそれらの誘導体。【０１０７】２８．上記されたポリマーのブレンド（ポリブレンド）、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。【０１０８】２９．天然起源および合成有機材料であって、純粋なモノマー性化合物またはそのような化合物の混合物、例えば鉱物油、動物および植物脂肪、油およびワックス、または合成エステル（例えばフタレート、アジペート、ホスフェートまたはトリメリテート）をベースとした油、脂肪およびワックス、および代表的には紡糸組成物として使用される合成エステルと鉱物油とのあらゆる重量比における混合物、並びにそのような材料の水性乳濁液。【０１０９】３０．天然または合成ゴムの水性乳濁液、例えば天然ラテックスまたはカルボキシル化スチレン／ブタジエンコポリマーのラテックス。【０１１０】  従って本発明は付加的に、光、熱または酸化により誘導された分解を受け易い有機材料、および上記安定剤混合物からなる組成物に関する。【���１１１】  本発明のさらなる態様は、光、熱又は酸化により誘発される分解に対し有機材料を安定化させるための方法であって、上記された安定剤混合物を前記有機材料中へ配合することを含む方法である。【０１１２】  有機材料は、好ましくは合成ポリマー、特に上記群のいずれか１つである。ポリオレフィンが好ましく、そしてポリエチレン、ポリプロピレン、ポリエチレンコポリマー、及びポリプロピレンコポリマーが特に好ましい。【０１１３】  成分（Ａ）、（Ｂ）及び（Ｃ）は、個々に又は互いに混合されて、安定化されるべき有機材料に加えられ得る。【０１１４】成分（Ａ）、（Ｂ）及び（Ｃ）の各々は、有機材料の重量に対して、好ましくは、０．００５ないし５％、特に０．０１ないし１％、又は０．０５ないし１％の量で有機材料中に存在する。【０１１５】  成分（Ａ）：（Ｂ）又は（Ａ）：（Ｃ）の重量比は、好ましくは１０：１ないし１：１００、特に１０：１ないし１：１０、又は５：１ないし１：５である。重量比のさらなる実施例は又、１：１ないし１：１０、例えば１：２ないし１：５である。【０１１６】  上記成分は公知の方法により、例えば形成の前もしくは間に、または溶解もしくは分散された化合物を有機材料に適用し、必要であれば続いて溶媒をエバポレーションすることにより、安定化されるべき有機材料中に配合され得る。上記成分は、粉末、グラニュールまたは例えば２．５ないし２５重量％の濃度でこれらの成分を含むマスターバッチの形状で有機材料に添加され得る。【０１１７】  所望であれば、成分（Ａ）、（Ｂ）及び（Ｃ）は、有機材料に配合される前に、互いにブレンドされ得る。それらは重合の前もしくはその間、または架橋の前にポリマーに添加され得る。【０１１８】  本発明に従って安定化された有機材料は、様々な形態で、例えばフィルム、繊維、テープ、成形材料、異形材として、または塗料、接着剤もしくはパテの結合剤として使用され得る。【０１１９】  安定化された材料はさらに又、例えば以下に示すような種々の慣用添加剤を含み得る。
１．酸化防止剤
１．１．アルキル化モノフェノール、例えば、
２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、側鎖において直鎖または分枝鎖であるノニルフェノール、例えば、２，６−ジノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノールおよびそれらの混合物。【０１２０】 １．２．  アルキルチオメチルフェノール、例えば、
２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。【０１２１】 １．３．  ヒドロキノンおよびアルキル化ヒドロキノン、例えば、
２，６−ジ−第三ブチル−４−メトキシフェノール、２，５−ジ−第三ブチルヒドロキノン、２，５−ジ−第三アミルヒドロキノン、２，６−ジ−フェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。【０１２２】 １．４．トコフェロール、例えば、
α−トコフェロール、β−トコフェロール、γ−トコフェロール、δ−トコフェロールおよびそれらの混合物（ビタミンＥ）。【０１２３】１．５．ヒドロキシル化チオジフェニルエーテル、例えば、
２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。【０１２４】 １．６．アルキリデンビスフェノール、例えば、
２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフエニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。【０１２５】 １．７．Ｏ−、Ｎ−およびＳ−ベンジル化合物、例えば、
３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。【０１２６】 １．８．ヒドロキシベンジル化マロネート、例えば、
ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。【０１２７】」  １．９．芳香族ヒドロキシベンジル化合物、例えば、
１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。【０１２８】 １．１０．トリアジン化合物、例えば、
２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。【０１２９】 １．１１．ベンジルホスホネ一ト、例えば、
ジメチル２，５−ジ第三ブチル−４−ヒドロキシベンジルホスホネート、ジエチル３，５−ジ第三ブチル−４−ヒドロキシベンジルホスホネート、ジオクタデシル３，５−ジ第三ブチル−４−ヒドロキシベンジルホスホネート、ジオクタデシル５−第三ブチル−４−ヒドロキシ−３−メチルベンジルホスホネート、３，５−ジ第三ブチル−４−ヒドロキシベンジルホスホン酸モノエチルエステルのカルシウム塩。【０１３０】 １．１２．アシルアミノフェノール、例えば、
４−ヒドロキシラウラニリド、４−ヒドロキシステアラニリド、Ｎ−（３，５−ジ−第三ブチル−４−ヒドロキシフェニル）カルバミン酸オクチル。【０１３１】 １．１３．β−（３．５−ジ−第三ブチル−４−ヒドロキシフェニル）プロピオン酸の以下の一価または多価アルコールとのエステル、
アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。【０１３２】 １．１４．β−（５−第三ブチル−４−ヒドロキシ−３−メチルフェニル）プロピオン酸の以下の一価まはた多価アルコールとのエステル、
アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス〔２−［３−（３−第３−ブチル−４−ヒドロキシ−５−メチルフェニル）プロピオニルオキシ］−１，１−ジメチルエチル〕−２，４，９，１０−テトラオキサスピロ［５．５］−ウンデカン。【０１３３】 １．１５．β−（３．５−ジシクロヘキシル−４−ヒドロキシフェニル）プロピオン酸の以下の一価または多価アルコールとのエステル、
アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。【０１３４】 １．１６．３，５−ジ−第三ブチル−４−ヒドロキシフェニル酢酸の以下の一価または多価アルコールとのエステル、
アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。【０１３５】 １．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第３−ブチル−４−ヒドロキシフェニル］プロピオニルオキシ）エチル］オキサミド（ユニローヤル社製  ナウガードＸＬ−１（登録商標：Ｎａｕｇａｒｄ））。【０１３６】 １．１８．アスコルビン酸（ビタミンＣ）。【０１３７】 １．１９  アミン酸化防止剤、例えば、
Ｎ，Ｎ’−ジイソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−およびジアルキル化第三ブチル／第三オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化第三ブチルジフェニルアミンの混合物、２，３−ジヒドロ−３，３−ジメチル−４Ｈ−１，４−ベンゾチアジン、フェノチアジン、モノ−およびジアルキル化第三ブチル／第三オクチルフェノチアジンの混合物、モノ−およびジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル）ヘキサメチレンジアミン、ビス（２，２，６，６−テトラメチルピペリジ−４−イル）セバケート、２，２，６，６−テトラメチルピペリジノ−４−オン、２，２，６，６−テトラメチルピペリジノ−４−オール。【０１３８】２．ＵＶ吸収剤および光安定剤
２．１．  ２−（２’−ヒドロキシフェニル）ベンゾトリアゾール、例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロ−ベンゾトリアゾール、２−（３’−第三ブチル−２’−ヒドロキシ−５’−メチルフェニル）−５−クロロ−ベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロ−ベンゾトリアゾール、２−（３’−第三ブチル−５’−［２−（２−エチルヘキシルオキシ）−カルボニルエチル］−２’−ヒドロキシフェニル）−５−クロロ−ベンゾトリアゾール、２−（３’−第三ブチル−２’−ヒドロキシ−５’−（２−メトキシカルボニルエチル）フェニル）−５−クロロ−ベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニル）ベンゾトリアゾール、２，２’−メチレン−ビス［４−（１，１，３，３−テトラメチルブチル）−６−ベンゾトリアゾリ−２−イルフェノール］、２−［３’−第三ブチル−５’−（２−メトキシカルボニルエチル）−２’−ヒドロキシフェニル］−２Ｈ−ベンゾトリアゾールとポリエチレングリコール３００とのエステル交換生成物、次式［Ｒ−ＣＨ2ＣＨ2−ＣＯＯ−ＣＨ2ＣＨ2−］2−（式中、Ｒは３’−第三ブチル−４’−ヒドロキシ−５’−２Ｈ−ベンゾトリアゾリ−２−イルフェニル基を表す。）で表されるもの、２−［２’−ヒドロキシ−３’−（α、α−ジメチルベンジル）−５’−（１，１，３，３−テトラメチルブチル）フェニル］ベンゾトリアゾール、２−［２’−ヒドロキシ−３’−（１，１，３，３−テトラメチルブチル）−５’−（α，α−ジメチルベンジル）フェニル］ベンゾトリアゾール。【０１３９】 ２．２．  ２−ヒドロキシベンゾフェノン、例えば、
４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。【０１４０】 ２．３．  置換および未置換安息香酸のエステル、例えば、
４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエ−ト。【０１４１】 ２．４．  アクリレート、例えば、
エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメートおよびＮ−（β−カルボメトキシ−β−シアノビニル）−２−メチルインドリン。【０１４２】 ２．５．  ニッケル化合物、例えば、
２，２’−チオ−ビス［４−（１，１，３，３−テトラメチルブチル）フェノール］のニッケル錯体、例えば１：１または１：２錯体であって、ｎ−ブチルアミン、トリエタノールアミンまたはＮ−シクロヘキシルジエタノールアミンのようなさらなる配位子を伴うまたは伴わないもの、ニッケルジブチルジチオカルバメート、４−ヒドロキシ−３，５−ジ−第三ブチルベンジルホスホン酸のモノアルキルエステル、例えばメチルまたはエチルエステルのニッケル塩、ケトキシムのニッケル錯体、例えば２−ヒドロキシ−４−メチルフェニルウンデシルケトキシム、１−フェニル−４−ラウロイル−５−ヒドロキシピラゾールのニッケル錯体であって、さらなる配位子を伴うまたは伴わないもの。【０１４３】 ２．６．  オキサミド、例えば、
４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド、およびその２−エトキシ−２’−エチル−５，４’−ジ−第三ブトキサニリドとの混合物、ｏ−およびｐ−メトキシ−二置換オキサニリドの混合物、およびｏ−およびｐ−エトキシ−二置換オキサニリドの混合物。【０１４４】 ２．７．  ２−（２−ヒドロキシフェニル）−１，３，５−トリアジン、例えば、
２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）フェニル］−４，６−ビス（２，４−ジメチル）−１，３，５−トリアジン、２−［２−ヒドロキシ−４−（２−ヒドロキシ−３−オクチルオキシ−プロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシ−プロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。【０１４５】 ３．金属奪活剤、例えば、
Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。【０１４６】 ４．ホスフィットおよびホスホナイト、例えば、
トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、
ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。【０１４７】  特に好ましいのは以下のホスフィットである。
トリス（２，４−ジ−第三ブチルフェニル）ホスフィット（イルガフォス１６９（登録商標：Ｉｒｇａｆｏｓ）、チバ−ガイギー社製）、トリス（ノニルフェニル）ホスフィット、
【化１７９】
0005204363.tif 000081
【０１４８】 ５．ヒドロキシルアミン、例えば、
Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。【０１４９】 ６．ニトロン、例えば、
Ｎ−ベンジル−α−フェニル−ニトロン、Ｎ−エチル−α−メチル−ニトロン、Ｎ−オクチル−α−ヘプチル−ニトロン、Ｎ−ラウリル−α−ウンデシル−ニトロン、Ｎ−テトラデシル−α−トリデシル−ニトロン、Ｎ−ヘキサデシル−α−ペンタデシル−ニトロン、Ｎ−オクタデシル−α−ヘプタデシル−ニトロン、
Ｎ−ヘキサデシル−α−ヘプタデシル−ニトロン、Ｎ−オクタデシル−α−ペンタデシル−ニトロン、Ｎ−ヘプタデシル−α−ヘプタデシル−ニトロン、Ｎ−オクタデシル−α−ヘキサデシル−ニトロン、水素化牛脂アミンから誘導されたＮ，Ｎ−ジアルキルヒドロキシルアミンから誘導されたニトロン。【０１５０】 ７．チオ相乗剤、例えば、
ジラウリルチオジプロピオネートまたはジステアリルチオジプロピオネート。【０１５１】 ８．過酸化物捕捉剤、例えば、
β−チオジプロピオン酸のエステル、例えば、ラウリル、ステアリル、ミリスチルまたはトリデシルエステル、メルカプトベンズイミダゾールまたは２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。【０１５２】 ９．ポリアミド安定剤、例えば、
ヨウ化物および／またはリン化合物と組み合わされた銅塩および二価マグネシウムの塩。【０１５３】 １０．塩基性補助安定剤、例えば、
メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばカルシウムステアレート、亜鉛ステアレート、マグネシウムベヘネート、マグネシウムステアレート、ナトリウムリシノレートおよびカリウムパルミテート、アンチモンピロカテコレートまたは亜鉛ピロカテコレート。【０１５４】 １１．核剤、例えば、
タルクのような無機物質、二酸化チタン、又は酸化マグネシウムのような金属酸化物、ホスフェート、カーボネートまたはサルフェートであって、好ましくはアルカリ土類金属のもの、モノ−またはポリカルボン酸のような有機化合物およびそれらの塩、例えば、４−第三ブチル安息香酸、アジピン酸、ジフェニル酢酸、ナトリウムスクシネートまたはナトリウムベンゾエート、イオン性コポリマー（“アイオノマー”）のようなポリマー性化合物。特に好ましいのは、１，３：２，４―ビス（３’，４’−ジメチルベンジリデン）ソルビトール、１，３：２，４−ジ（パラメチルジベンジリデン）ソルビトールおよび１，３：２，４−ジ（ベンジリデン）ソルビトールである。【０１５５】 １２．充填剤および強化剤、例えば、
炭酸カルシウム、シリケート、ガラス繊維、ガラス球、アスベスト、
タルク、カオリン、雲母、バリウムサルフェート、金属オキシドおよびヒドロキシド、カーボンブラック、グラファイト、木粉および他の天然生成物の粉末または繊維、合成繊維。【０１５６】 １３．その他の添加剤、例えば、
可塑剤、潤滑剤、乳化剤、顔料、流動添加剤、触媒、流れ調整剤、蛍光増白剤、難燃剤、帯電防止剤および発泡剤。【０１５７】 １４．ベンゾフラノンおよびインドリノン、例えば、
米国特許第４，３２５，８６３号公報、米国特許第４，３３８，２４４号公報、米国特許第５，１７５，３１２号公報、米国特許第５，２１６，０５２号公報、米国特許第５，２５２，６４３号公報、ドイツ国特許出願公開第４３１６６１１号明細書、ドイツ国特許出願公開第４３１６６２２号明細書、ドイツ国特許出願公開第４３１６８７６号明細書、欧州特許出願公開第０５８９８３９号明細書もしくは欧州特許出願公開第０５９１１０２号明細書において開示されるもの、または３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、
５，７−ジ−第三ブチル−３−（４−エトキシフェニル）ベンゾフラノ−２−オン、３−（４−アセトキシ−３，５−ジメチルフェニル）−５，７−ジ−第三ブチル−ベンゾフラノ−２−オン、３−（３，５−ジメチル−４−ピバロイルオキシフェニル）−５，７−ジ−第三ブチル−ベンゾフラノ−２−オン、３−（３，４−ジメチルフェニル）−５，７−ジ−第三ブチル−ベンゾフラノ−２−オン、３−（２，３−ジメチルフェニル）−５，７−ジ−第三ブチル−ベンゾフラノ−２−オン。【０１５８】  成分（Ａ）、（Ｂ）および（Ｃ）の総量と慣用の添加剤の総量との重量比は、例えば１００：１ないし１：１００または１０：１ないし１：１０であることができる。
【実施例】
【０１５９】  以下の実施例により本発明をより詳細に説明する。全ての百分率および部は、他に言及されない限り、重量によって表される。
以下の実施例１ないし４に使用される光安定剤：
チヌビン  ７９１（登録商標：ＴＩＮＵＶＩＮ  ７９１）：
化合物（Ｂ−１−ａ−１）：
【化１８０】
0005204363.tif 000082
チヌビン  ７７０（登録商標：ＴＩＮＵＶＩＮ  ７７０）：
【化１８１】
0005204363.tif 000083
チヌビン  ７６５（登録商標：ＴＩＮＵＶＩＮ  ７６５）：
【化１８２】
0005204363.tif 000084
チヌビン  １２３（登録商標：ＴＩＮＵＶＩＮ  １２３）：
【化１８３】
0005204363.tif 000085
チヌビン  １４４（登録商標：ＴＩＮＵＶＩＮ  １４４）：
【化１８４】
0005204363.tif 000086
ＡＤＫ  スタブ  ＬＡ  ５７（登録商標：ＡＤＫ  ＳＴＡＢ  ＬＡ  ５７）：
【化１８５】
0005204363.tif 000087
ホスタビン  Ｎ  ２０（登録商標：ＨＯＳＴＡＶＩＮ  Ｎ  ２０）：
【化１８６】
0005204363.tif 000088
サンデュボア  ３０５０（登録商標：ＳＡＮＤＵＶＯＲ  ３０５０）：
【化１８７】
0005204363.tif 000089
ホスタビン  Ｎ  ２４（登録商標：ＨＯＳＴＡＶＩＮ  Ｎ  ２４）：
【化１８８】
0005204363.tif 000090
ユビヌル  ４０４９  Ｈ(登録商標：ＵＶＩＮＵＬ  ４０４９  Ｈ)：
【化１８９】
0005204363.tif 000091
化合物（Ｂ−６−ａ−１）
【化１９０】
0005204363.tif 000092
サンデュボア  ＰＲ  ３１（登録商標：ＳＡＮＤＵＶＯＲ  ＰＲ  ３１）：
【化１９１】
0005204363.tif 000093
グッドライト  ＵＶ  ３０３４（登録商標：ＧＯＯＤＲＩＴＥ  ＵＶ  ３０３４）：
【化１９２】
0005204363.tif 000094
グッドライト  ＵＶ  ３１５０(登録商標：ＧＯＯＤＲＩＴＥ  ＵＶ  ３１５０)：
【化１９３】
0005204363.tif 000095
化合物（Ｂ−１０−ａ−１）：
【化１９４】
0005204363.tif 000096
チマソルブ  ９４４(登録商標：ＣＨＩＭＡＳＳＯＲＢ  ９４４)：
【化１９５】
0005204363.tif 000097
シアソルブ  ＵＶ  ３３４６(登録商標：ＣＹＡＳＯＲＢ  ＵＶ  ３３４６)：
【化１９６】
0005204363.tif 000098
シアソルブ  ＵＶ  ３２５９(登録商標：ＣＹＡＳＯＲＢ  ＵＶ  ３２５９)：
【化１９７】
0005204363.tif 000099
ダスチブ  １０８２(登録商標：ＤＡＳＴＩＢ  １０８２)：
【化１９８】
0005204363.tif 000100
チマソルブ  １１９(登録商標：ＣＨＩＭＡＳＳＯＲＢ  １１９)：
【化１９９】
0005204363.tif 000101
（式中、Ｒ´は、
【化２００】
0005204363.tif 000102
を表す。）
ユバシル  ２９９(登録商標：ＵＶＡＳＩＬ  ２９９)：
【化２０１】
0005204363.tif 000103
ユバシル  ２０００(登録商標：ＵＶＡＳＩＬ  ２０００)：
ユバシル  ２９９(登録商標：ＵＶＡＳＩＬ  ２９９)とポリプロピレンの混合物。
ユビヌル  ５０５０  Ｈ(登録商標：ＵＶＩＮＵＬ  ５０５０  Ｈ)：
【化２０２】
0005204363.tif 000104
リヒツフツシュトフ  ＵＶ  ３１(登録商標：ＬＩＣＨＴＳＣＨＵＴＺＳＴＯＦＦ  ＵＶ  ３１)：
【化２０３】
0005204363.tif 000105
ＡＤＫ  スタブ  ＬＡ  ６８(登録商標：ＡＤＫ  ＳＴＡＢ  ＬＡ  ６８)：
【化２０４】
0005204363.tif 000106
ＡＤＫ  スタブ  ＬＡ  ６３(登録商標：ＡＤＫ  ＳＴＡＢ  ＬＡ  ６３)：
【化２０５】
0005204363.tif 000107
チヌビン  ６２２(登録商標：ＴＩＮＵＶＩＮ  ６２２)：
【化２０６】
0005204363.tif 000108
混合物（Ａ−２）：
化合物（Ａ−２−ａ）と（Ａ−２−ｂ）の４：１の重量比混合物。
【化２０７】
0005204363.tif 000109
【０１６０】実施例１：ポリプロピレンホモポリマーフィルムの光安定化
未安定化ポリプロピレン粉末（メルトフローインデックス：２３０℃および２１６０ｇで３．８ｇ／１０分）１００部を２００℃で１０分間ブラベンダープラストグラフ中で、ペンタエリトリチル−テトラキス｛３−（３，５−ジ−第三ブチル−４−ヒドロキシフェニル）プロピオネート｝０．０５部、トリス｛２，４−ジ−第三ブチルフェニル｝ホスフィット０．０５部、Ｃａステアレート０．１部、二酸化チタン（鋭錐石）０．２５部および表１において示される安定剤混合物と均一化した。そのようにして得られた材料を、実験室圧縮機において二つのアルミニウム箔の間で６分間２６０℃で０．５ｍｍ厚フィルムに圧縮成形し、それを水冷圧縮機において室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧無し）において暴露した。
周期的に、これらの試料を暴露装置から除去し、そしてそれらのカルボニル含有量を赤外線スペクトル計で測定した。０．１のカルボニル吸光度の形成に相当する曝露時間を、安定剤混合物の能力のために測定した。得た値を表１に要約する。
【表１】
0005204363.tif 000110
【０１６１】実施例２：ポリエチレンＨＤフィルムの光安定化
未安定化高密度ポリエチレン粉末（密度：０．９６４ｇ／ｃｍ3、メルトフローインデックス：１９０℃および２１６０ｇで５．０ｇ／１０分）１００部を１８０℃で１０分間ブラベンダープラストグラフ中で、オクタデシル３−（３，５−ジ−第三ブチル−４−ヒドロキシフェニル）プロピオネート０．０３部、Ｃａステアレート０．１部、二酸化チタン（鋭錐石）０．２５部および表２において示される安定剤混合物と均一化した。そのようにして得られた材料を、実験室圧縮機において二つのアルミニウム箔の間で６分間２１０℃で０．５ｍｍ厚フィルムに圧縮成形し、それを水冷圧縮機において室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧無し）において暴露した。
周期的に、これらの試料を暴露装置から除去し、そしてそれらのカルボニル含有量を赤外線スペクトル計で測定した。０．１のカルボニル吸光度の形成に相当する曝露時間を、安定剤混合物の能力のために測定した。得た値を表２に要約する。
【表２】
0005204363.tif 000111
【０１６２】 実施例３：ポリプロピレンホモポリマーフィルムの光安定化
未安定化ポリプロピレン粉末（メルトフローインデックス：２３０℃および２１６０ｇで〜２．４ｇ／１０分）１００部を２００℃で１０分間ブラベンダープラストグラフ中で、ペンタエリトリチル−テトラキス｛３−（３，５−ジ−第三ブチル−４−ヒドロキシフェニル）プロピオネート｝０．０５部、トリス｛２，４−ジ−第三ブチルフェニル｝ホスフィット０．０５部、Ｃａステアレート０．１部、二酸化チタン（鋭錐石）０．２５部、そして表３Ａ及び３Ｂにおいて示される光安定剤系と均一化した。そのようにして得られた材料を、実験室圧縮機において二つのアルミニウム箔の間で６分間２６０℃で０．５ｍｍ厚フィルムに圧縮成形し、それを水冷圧縮機において室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧無し）において暴露した。
周期的に、これらの試料を暴露装置から除去し、そしてそれらのカルボニル含有量を赤外線スペクトル計で測定した。０．１のカルボニル吸光度の形成に相当する曝露時間（Ｔ0.1）を、光安定剤系の能力のために測定した。得た値を以下の表３Ａ及び３Ｂに要約する。
【表３】
0005204363.tif 000112
＊）光安定剤の総濃度は、０．１５％である。
【表４】
0005204363.tif 000113
＊）光安定剤の総濃度は、０．１５％である。【０１６３】 実施例４：ポリプロピレンホモポリマーフィルムの光安定化
未安定化ポリプロピレン粉末（メルトフローインデックス：２３０℃および２１６０ｇで３．８ｇ／１０分）１００部を２００℃で１０分間ブラベンダープラストグラフ中で、ペンタエリトリチル−テトラキス｛３−（３，５−ジ−第三ブチル−４−ヒドロキシフェニル）プロピオネート｝０．０５部、トリス｛２，４−ジ−第三ブチルフェニル｝ホスフィット０．０５部、Ｃａステアレート０．１部、二酸化チタン（鋭錐石）０．２５部、そして表４Ａ、４Ｂ、４Ｃ及び４Ｄにおいて示される光安定剤系と均一化した。そのようにして得られた材料を、実験室圧縮機において二つのアルミニウム箔の間で６分間２６０℃で０．５ｍｍ厚フィルムに圧縮成形し、それを水冷圧縮機において室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧無し）において暴露した。
周期的に、これらの試料を暴露装置から除去し、そしてそれらのカルボニル含有量を赤外線スペクトル計で測定した。０．１のカルボニル吸光度の形成に相当する曝露時間（Ｔ0.1）を、光安定剤系の能力のために測定した。得た値を以下の表４Ａ、４Ｂ、４Ｃ及び４Ｄに要約する。
【表５】
0005204363.tif 000114
＊）光安定剤の総濃度は、０．２％である。
【表６】
0005204363.tif 000115
＊）光安定剤の総濃度は、０．３％である。
【表７】
0005204363.tif 000116
＊）光安定剤の総濃度は、０．３％である。
【表８】
0005204363.tif 000117
＊）光安定剤の総濃度は、０．２％である。【０１６４】  本発明のさらなる態様は、
（１）以下で定義される成分（ＡＡ−１）又は（ＡＡ−２）、及び
（２）上記で定義された成分（Ｂ）又は（Ｃ）
を含む第２の安定剤混合物に関する。【０１６５】  上記された一般的な開示は又、適当な方法において、この第２の安定剤混合物（光、熱又は酸化により誘発される分解に対し、有機材料を安定化させるためにも又有用である）にも関する。【０１６６】  成分（ＡＡ−１）の化合物は、例えば、ここで引用として組込まれる米国特許第４，６０９，６９８号公報に記載されている。【０１６７】  成分（ＡＡ−２）の化合物は、例えば、ここでも又引用として組込まれる欧州特許出願公開第１，８０３号明細書に記載されている。成分（ＡＡ−２）の好ましい化合物は、フェルロ  ＡＭ  ８０６（登録商標：ＦＥＲＲＯ  ＡＭ８０６）、又はコカノックス（登録商標：ＫＯＫＡＮＯＸ）である。【０１６８】  成分（Ｂ）又は（Ｃ）に対する成分（ＡＡ−１）又は（ＡＡ−２）の重量比は、好ましくは１０：１ないし１：１００、特に１０：１ないし１：１０又は５：１ないし１：５である。重量比のさらなる実施例は又、１：１ないし１：１０、例えば１：２ないし１：５である。【０１６９】  成分（ＡＡ−１）又は（ＡＡ−２）、並びに成分（Ｂ）又は（Ｃ）は、安定化されるべき材料中に、上記材料の重量に基づき好ましくは０．００５ないし５％、特に０．０１ないし１％又は０．０５ないし１％の量で存在する。【０１７０】  成分（ＡＡ−１）は、式（ＡＡ−１−Ｉ）又は（ＡＡ−１−ＩＩ）
【化２０８】
0005204363.tif 000118
（上記各式中、ｎ100は、１ないし３、好ましくは２の数を表し、
基Ｒ101は、互いに独立して、炭素原子数２ないし１８のアルキレン基、炭素原子数４ないし８のアルケニレン基、炭素原子数４ないし２０のモノオキサアルキレン基、炭素原子数４ないし２０のポリオキサアルキレン基、炭素原子数５ないし８のシクロアルキレン基、炭素原子数７ないし１０のシクロアルキレン−ジアルキレン基、炭素原子数８ないし２０のフェニレン−ジアルキレン基、又は式
【化２０９】
0005204363.tif 000119
で表される基を表し、
ｍ100は、２ないし１０の整数を表し、
Ｘ100は、−Ｏ−、又はＮＲ105の基を表し、
Ｙ100は、炭素原子数２ないし１２のアルキレン基、１つ又は２つの−Ｏ−、又は−ＮＨ−基によって中断された炭素原子数４ないし１２のアルキレン基、シクロヘキシレン基、シクロヘキシレン−ジメチレン基、フェニレン基、又はＺ100が、−〇−、−ＣＨ2−又は−ＳＯ2−であるところのフェニレン−Ｚ100−フェニレン基を表し、
基Ｒ102は、互いに独立して、直接結合、炭素原子数１ないし１８のアルキレン基、炭素原子数２ないし６のアルケニレン基、炭素原子数５ないし８のシクロアルキレン基、炭素原子数５ないし８のシクロアルケニレン基、フェニレン基、炭素原子数７ないし１２のフェニレンアルキレン基、又は式
【化２１０】
0005204363.tif 000120
で表される基を表し、
ｐ100は、１又は２を表し、
Ｅ100は、水素原子、炭素原子数１ないし８のアルキル基、シクロヘキシル基、
ベンジル基又は式Ｒ107−ＣＯ−、Ｒ108−Ｏ−ＣＯ−、又は（Ｒ109）（Ｒ110）Ｎ−ＣＯ−で表されるアシル基を表し、
Ｅ´100は、Ｒ111Ｏ−、又は（Ｒ112）（Ｒ113）Ｎ−を表し、
Ｒ１０３は、水素原子、炭素原子数１ないし６のアルキル基、炭素原子数２ないし７のアルコキシメチル基、フェノキシメチル基、又はトリルオキシメチル基を表し、
Ｒ104は、水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基、好ましくは水素原子、炭素原子数１ないし４のアルキル基、炭素原子数１ないし８のアルコキシ基、又はシクロヘキシルオキシ基、特に水素原子又はメチル基を表し、
Ｒ105は、水素原子、炭素原子数１ないし１２のアルキル基、シクヘキシル基、フェニル基、ベンジル基、フェニルエチル基、又は炭素原子数１ないし８のアシル基を表し、
Ｒ106は、炭素原子数２ないし１２のアルキレン基、炭素原子数４ないし８のアルケニレン基、又はキシリレン基を表し、
Ｒ107は、炭素原子数１ないし１２のアルキル基、炭素原子数２ないし５のアルケニル基、炭素原子数５ないし８のシクロアルキル基、フェニル基、炭素原子数７ないし１２のフェニルアルキル基、又は式（ＡＡ−１−ＩＩＩ）
【化２１１】
0005204363.tif 000121
で表される基を表し、
Ｒ108は、炭素原子数１ないし１２のアルキル基、アリル基、シクロヘキシル基、又はフェニル基を表し、
Ｒ109は、水素原子、炭素原子数１ないし８のアルキル基、アリル基、シクロヘキシル基、フェニル基又は炭素原子数７ないし１０のアルキルフェニル基を表し、Ｒ110は、炭素原子数１ないし８のアルキル基、アリル基、シクロヘキシル基、フェニル基、又は炭素原子数７ないし１０のアルキルフェニル基を表すか、又は
Ｒ109及びＲ110が、それらが結合するＮ原子と一緒になって、５−員ないし７−員複素環式環を形成し、
Ｒ111は、炭素原子数１ないし１２のアルキル基、炭素原子数３ないし５のアルケニルメチル基、炭素原子数５ないし８のシクロアルキル基、フェニル基、炭素原子数７ないし１０のアルキルフェニル基、炭素原子数７ないし１２のフェニルアルキル基、炭素原子数３ないし１２のアルコキシアルキル基、基−（ＣＨ2ＣＨ2Ｏ）ｍ100−ＣＨ3、式（ＡＡ−１−ＩＩＩ）で表される基、又は式（ＡＡ−１−ＩＶ）
【化２１２】
0005204363.tif 000122
で表される基を表し、
Ｒ112は、炭素原子数１ないし１２のアルキル基、アリル基、シクロヘキシル基、フェニル基、ベンジル基、炭素原子数３ないし１２のアルコキシアルキル基、炭素原子数４ないし１２のジアルキルアミノアルキル基、式（ＡＡ−１−ＩＩＩ）で表される基、式（ＡＡ−Ｉ−Ｖ）
【化２１３】
0005204363.tif 000123
で表される基を表し、
Ｒ113は、水素原子、炭素原子数１ないし１２のアルキル基、アリル基、シクロヘキシル基、又は式（ＩＩＩ）で表される基を表し、
但し、基Ｒ101、Ｒ102、Ｅ100及びＥ´100の少なくとも１つは、式
【化２１４】
0005204363.tif 000124
で表される基を含み、そして
但し、式（ＡＡ−１−Ｉ）及び（ＡＡ−１−ＩＩ）の各々中の反復単位は、同じであるか又は異なり得る。）で表される化合物である。【０１７１】  成分（ＡＡ−２）は、式（ＡＡ−２−Ｉ）
【化２１５】
0005204363.tif 000125
（式中、ｎ200及びｎ201は、互いに独立して、１ないし５０の数を表し、
Ｒ201は、水素原子、又は炭素原子１ないし４のアルキル基を表し、
Ｘ201は、−Ｏ−、又は＞Ｎ−Ｒ202を表し、
Ｒ202は、水素原子、炭素原子数１ないし１２のアルキル基、シクロヘキシル基、フェニル基、ベンジル基、フェニルエチル基、又は炭素原子数１ないし８のアシル基を表し、
Ｙ201は、炭素原子数１ないし４のアルキル基、又は（ＡＡ−２−ＩＩ）
【化２１６】
0005204363.tif 000126
で表される基を表し、
Ｒ203は、水素原子、炭素原子数１ないし８のアルキル基、Ｏ・、−ＯＨ、−ＣＨ2ＣＮ、炭素原子数１ないし１８のアルコキシ基、炭素原子数５ないし１２のシクロアルコキシ基、炭素原子数３ないし６のアルケニル基、未置換の又は１、２又は３個の炭素原子数１ないし４のアルキル基によってフェニル基上を置換された炭素原子数７ないし９のフェニルアルキル基、又は炭素原子数１ないし８のアシル基、好ましくは水素原子、炭素原子数１ないし４のアルキル基、炭素原子数１ないし８のアルコキシ基、又はシクロヘキシル基、特に水素原子、又はメチル基を表し、
Ｚ200は、エチレン基、又は式（ＡＡ−２−ＩＩＩ）
【化２１７】
0005204363.tif 000127
で表される基を表し、
Ｒ204は、水素原子、又は炭素原子１ないし４のアルキル基を表し、
Ｘ202は、前記Ｘ201の意味の１つを有し、
Ｙ202は、炭素原子数１ないし１８のアルキル基、又は（ＡＡ−２−ＩＩ）
で表される基を表し、
但し、式（ＡＡ−２−Ｉ）中の反復単位は、ブロック又はランダム分布を有し、及び式（ＡＡ−２−Ｉ）中の反復単位
【化２１８】
0005204363.tif 000128
の各々は、同じで有るか又は異なり得、及び
但し、式（ＡＡ−２−Ｉ）中の反復単位の少なくとも２％、好ましくは少なくとも５％が、式（ＡＡ−２−ＩＩ）で表される基を含む。）で表される化合物である。式（ＡＡ−２−Ｉ）で表わされる化合物において、末端基は例えば、水素原子、又は基−ＣＨ＝Ｃ（Ｒ201）−ＣＯ−Ｘ201−Ｙ201である。【０１７２】  本出願において記載された全ての安定剤混合物は、さらに塗料のための光安定剤としても有用である。ＵＶ（紫外線）吸収剤と組合せて使用する事が好ましい。適当な塗料は、例えば、米国特許第６，１１７，９９７号公報、２６列、５５行ないし３２列、２１行に記載されている。【０１７３】  以下の実施例により、第２の安定剤混合物の使用を説明する。全ての百分率および部は、他に言及されない限り、重量によって表される。【０１７４】 実施例Ａ：ポリプロピレンホモポリマーフィルムの光安定化
未安定化ポリプロピレン粉末（メルトフローインデックス：２３０℃および２１６０ｇで３．２ｇ／１０分）１００部を２００℃で１０分間ブラベンダープラストグラフ中で、ペンタエリトリチル−テトラキス｛３−（３，５−ジ−第三ブチル−４−ヒドロキシフェニル）プロピオネート｝０．０５部、トリス｛２，４−ジ−第三ブチルフェニル｝ホスフィット０．０５部、Ｃａステアレート０．１部、二酸化チタン（鋭錐石）０．２５部および表３ａ及び３ｂにおいて示される安定剤混合物と均一化した。そのようにして得られた材料を、実験室圧縮機において二つのアルミニウム箔の間で６分間２６０℃で０．５ｍｍ厚フィルムに圧縮成形し、それを水冷圧縮機において室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧無し）において暴露した。
周期的に、これらの試料を暴露装置から除去し、そしてそれらのカルボニル含有量を赤外線スペクトル計で測定した。０．１のカルボニル吸光度の形成に相当する曝露時間を、安定剤混合物の能力のために測定した。得た値を表３ａ及び３ｂに要約する。
【表９】
0005204363.tif 000129
【表１０】
0005204363.tif 000130
使用した安定剤：
【化２１９】
0005204363.tif 000131
【化２２０】
0005204363.tif 000132